(57)【要約】【課題】ウェアラブル端末を身に着けたユーザの認証を行う認証装置を提供する。【解決手段】認証装置は、センサを備える装着体が生体に装着されている位置である装着位置を判定する装着位置判定部と、前記装着位置において前記センサが検出した前記生体の生体情報を用いて認証を行う認証部と、を備える。【選択図】図１
2020077398.tif 000002
【特許請求の範囲】
【請求項１】
センサを備える装着体が生体に装着されている位置である装着位置を判定する装着位置判定部と、
前記装着位置において前記センサが検出した前記生体の生体情報を用いて認証を行う認証部と、
を備える認証装置。
【請求項２】
前記装着体が前記生体に装着される際に、前記装着体と前記生体との位置合わせに関する情報を表示する表示部、
をさらに備える請求項１に記載の認証装置。
【請求項３】
前記装着体が前記生体に装着されたことを検知する装着検出部、
をさらに備え、
前記装着位置判定部は、前記装着体が前記生体に装着されたことが検知された場合に前記装着位置を判定する、
請求項１または請求項２に記載の認証装置。
【請求項４】
前記センサは、前記生体を撮像することにより、前記生体情報を得る画像センサを含む、
請求項１から請求項３の何れか１項に記載の認証装置。
【請求項５】
前記装着体はリング形状を有する指輪を含み、
前記装着位置判定部は、前記指輪が装着されている指の所定の位置から前記装着体の装着位置までの距離に基づいて、前記指輪の装着位置を判定する、
請求項１から請求項４の何れか１項に記載の認証装置。
【請求項６】
前記装着体はリング形状を有する指輪を含み、
前記装着位置判定部は、前記指輪が装着されている位置における、前記指輪の内周面と前記指輪が装着されている指の表面との距離に基づいて、前記指輪の装着位置を判定する、
請求項１から請求項４の何れか１項に記載の認証装置。
【請求項７】
前記装着体はリング形状を有する指輪を含み、
前記センサは、前記指輪が装着されている位置において画像を撮像する画像センサを含み、
前記認証部は、前記画像センサによって撮像された画像と、予め登録された前記指輪が装着されている指の所定の位置における静脈パターンを含む認証用画像とを照合することにより、静脈認証を行う、
請求項１から請求項３の何れか１項に記載の認証装置。
【請求項８】
前記装着体はリング形状を有する指輪を含み、
前記センサは、前記指輪が装着されている位置において画像を撮像する画像センサを含み、
前記認証部は、前記画像センサによって撮像された画像と、予め登録された前記指輪が装着されている指の所定の位置において複数の方向それぞれから検出された静脈パターンを含む複数の認証用画像各々とを照合することにより、静脈認証を行う、
請求項１から請求項３の何れか１項に記載の認証装置。
【請求項９】
前記装着体はコンタクトレンズを含み、
前記センサは、前記生体を撮像することにより画像を得る画像センサを含み、
前記装着位置判定部は、前記画像センサによって撮像された画像に基づいて、前記コンタクトレンズの装着位置を判定し、
前記認証部は、前記画像センサによって撮像された画像に含まれる虹彩を用いて認証を行う、
請求項１から請求項３の何れか１項に記載の認証装置。
【請求項１０】
請求項１から請求項４の何れか１項に記載の認証装置、を備える装着体。
【請求項１１】
請求項５から請求項８の何れか１項に記載の認証装置、を備える指輪。
【請求項１２】
蛍光塗料が塗布された表面と、
請求項９に記載の認証装置と、
を備えるコンタクトレンズ。
【請求項１３】
請求項１から請求項９の何れか１項に記載の認証装置と、
前記認証装置から前記装着位置を示す情報を取得し、前記装着位置を示す情報に基づいて、前記装着位置を改善するための情報を表示する表示装置と、
を備える認証システム。
【請求項１４】
前記生体情報を検出するセンサを備える装着体と、
請求項１から請求項４の何れか１項に記載の認証装置を備える情報処理装置と、
を備える認証システム。
【請求項１５】
センサを備える装着体が生体に装着されている位置である装着位置を判定し、
前記装着位置において前記センサが検出した前記生体の生体情報を用いて認証を行う、
ことを含む認証方法。
【請求項１６】
認証装置のコンピュータに、
センサを備える装着体が生体に装着されている位置である装着位置を判定し、
前記装着位置において前記センサが検出した前記生体の生体情報を用いて認証を行う、
ことを実行させるためのプログラム。
【発明の詳細な説明】
【技術分野】
【０００１】
本発明は、認証装置、装着体、指輪、コンタクトレンズ、認証システム、認証方法、プログラムに関する。
【背景技術】
【０００２】
指紋認証や静脈認証などの生体認証技術では、認証対象者の指紋や静脈パターンが、予め登録された認証データと照合可能となるように、指を載せる載置面に認証対象者の指が適切に置かれる必要がある。
【０００３】
例えば、特許文献１には、指の腹の先端を載せる先端載置部の先端載置面に、指の配置位置のずれを検出する指先端センサを設けて指の腹先端の位置のずれを検出し、指の配置位置のずれをユーザに教示する生体認証方法が記載されている。
【０００４】
また、近年では、腕時計、メガネ、リストバンド、指輪（リング）などの身に着ける器具に情報端末を搭載したいわゆるウェアラブル端末が提供されている。ウェアラブル端末には、その端末を装着する個人に関する情報が記憶されていることも多く、セキュリティの観点から持ち主によって装着されているかどうかを認証する仕組みが求められる。
【０００５】
ウェアラブル端末に生体認証技術を用いる場合の例を考える。例えば、腕時計型のウェアラブル端末の場合、ウェアラブル端末に指紋認証用のユニットを搭載し、例えばユーザが腕時計の表示部に指を載せると指紋認証を行うといった認証方法が考えられる。
【先行技術文献】
【特許文献】
【０００６】
【特許文献１】日本国特許第５５９８６８７号公報
【発明の概要】
【発明が解決しようとする課題】
【０００７】
この腕時計型のウェアラブル端末は、常に身に着けておくには大きく煩わしく感じるユーザも多い。そのため、ユーザからはより小型化された認証機能付きのウェアラブル端末（例えば、リング型のウェアラブル端末）の提供が望まれていた。
【０００８】
この発明の目的の一例は、上述の課題のいずれかを解決することのできる認証装置、装着体、コンタクトレンズ、指輪、認証システム、認証方法、プログラムを提供することである。
【課題を解決するための手段】
【０００９】
本発明の実施態様に係る認証装置は、センサを備える装着体が生体に装着されている位置である装着位置を判定する装着位置判定部と、前記装着位置において前記センサが検出した前記生体の生体情報を用いて認証を行う認証部と、を備える。
【００１０】
本発明の実施態様に係る装着体は、上述の認証装置、を備える。
【００１１】
本発明の実施態様に係る指輪は、上述の認証装置、を備える。
【００１２】
本発明の実施態様に係るコンタクトレンズは、蛍光塗料が塗布された表面と、上述の認証装置と、を備える。
【００１３】
本発明の実施態様に係る認証システムは、上述の認証装置と、前記認証装置から前記装着位置を示す情報を取得し、前記装着位置を示す情報に基づいて、前記装着位置を改善するための情報を表示する表示装置と、を備える。
【００１４】
本発明の実施態様に係る認証システムは、前記生体情報を検出するセンサを備える装着体と、上述の認証装置を備える情報処理装置と、を備える。
【００１５】
本発明の実施態様に係る認証方法は、センサを備える装着体が生体に装着されている位置である装着位置を判定し、前記装着位置において前記センサが検出した前記生体の生体情報を用いて認証を行う、ことを含む。
【００１６】
本発明の実施態様に係るプログラムは、認証装置のコンピュータに、センサを備える装着体が生体に装着されている位置である装着位置を判定し、前記装着位置において前記センサが検出した前記生体の生体情報を用いて認証を行う、ことを実行させる。
【発明の効果】
【００１７】
本発明によれば、装着体を身に着けた者がその装着体の所有者であるかどうかを認証することができる。
【図面の簡単な説明】
【００１８】
【図１】本発明の第一の実施形態による認証装置の構成を示す図である。
【図２】本発明の第一の実施形態による認証装置を示す図である。
【図３】本発明の第一の実施形態における装着体の具体的な構成図の一例である。
【図４】本発明の第一の実施形態における認証方法を説明する第一の図である。
【図５】本発明の第一の実施形態における認証方法を説明する第二の図である。
【図６Ａ】本発明の第一の実施形態における認証方法を説明する第三の図である。
【図６Ｂ】本発明の第一の実施形態における認証方法を説明する第三の図である。
【図７Ａ】本発明の第一の実施形態における認証方法を説明する第四の図である。
【図７Ｂ】本発明の第一の実施形態における認証方法を説明する第四の図である。
【図８Ａ】本発明の第一の実施形態における認証方法を説明する第五の図である。
【図８Ｂ】本発明の第一の実施形態における認証方法を説明する第五の図である。
【図９】本発明の第一の実施形態における認証方法の一例を示すフローチャートである。
【図１０】本発明の第二の実施形態による認証システムの一例を示す図である。
【図１１】本発明の第二の実施形態による認証システムにおける表示例を示す図である。
【図１２】本発明の第二の実施形態における認証用画像の登録方法の一例を示すフローチャートである。
【図１３】本発明の第三の実施形態による認証システムの一例を示す図である。
【図１４】本発明の第四の実施形態における認証用画像の登録方法の一例を示すフローチャートである。
【図１５】本発明の第四の実施形態における認証方法の一例を示すフローチャートである。
【図１６】本発明の第五の実施形態における認証用画像の登録方法の一例を示すフローチャートである。
【図１７】本発明の第五の実施形態における認証方法の一例を示すフローチャートである。
【図１８】本発明の第六の実施形態による認証システムの一例を示す図である。
【図１９】本発明の第六の実施形態における認証用画像の登録方法の一例を示すフローチャートである。
【図２０】本発明の第六の実施形態における認証方法の一例を示すフローチャートである。
【図２１】本発明の第七の実施形態による装着体の一例を示す図である。
【図２２】本発明の第七の実施形態における認証方法の一例を示すフローチャートである。
【図２３Ａ】本発明の第七の実施形態による位置合わせの目印図形の一例を示す図である。
【図２３Ｂ】本発明の第七の実施形態による位置合わせの目印図形の一例を示す図である。
【図２３Ｃ】本発明の第七の実施形態による位置合わせの目印図形の一例を示す図である。
【図２４】本発明の第七の実施形態による位置判定を説明する図である。
【図２５】本発明の第八の実施形態における虹彩画像の登録方法の一例を示すフローチャートである。
【図２６】本発明の第九の実施形態における虹彩画像の登録方法の一例を示すフローチャートである。
【図２７】本発明の第十の実施形態による認証システムの一例を示す図である。
【図２８】本発明の第十の実施形態における認証方法の一例を示すフローチャートである。
【図２９】本発明の第十一の実施形態による装着体の一例を示す断面図である。
【発明を実施するための形態】
【００１９】
＜第一の実施形態＞
以下、本発明の第一の実施形態による認証装置を図１〜図９を参照して説明する。
図１は、本発明の第一の実施形態による認証装置の構成を示す図である。
図１に示す通り、認証装置３０は、装着位置判定部３４と、認証部３５とを少なくとも備えている。
装着位置判定部３４は、画像センサなどを備えた生体に装着される装着体の生体における装着位置を判定する。
認証部３５は、装着位置においてセンサが検出した生体の生体情報を用いて認証を行う。生体情報とは、例えば、静脈パターン、虹彩、指紋、皮膚のしわ模様、顔画像などである。
【００２０】
図２は、本発明の第一の実施形態による認証装置を示す図である。
この図２において、装着体１０は、記憶部１１と、通信部１２と、バッテリ部１３と、充電部１４と、制御部１５と、認証装置３０Ａとを含む。認証装置３０Ａは、位置検出部３１と、撮像部３２と、装着検出部３３と、装着位置判定部３４と、認証部３５と、表示制御部３６と、表示部３７と、記憶部３８と、を備えている。
装着体１０とは、例えば、腕時計、リストバンド、指輪（リング）、メガネ、コンタクトレンズ、ネックレス、衣服、靴、靴下などである。装着体１０には、装着体１０を所有するユーザの個人情報が記録されている。ユーザは、ＩＣ（Integrated Circuit）カードの代わりに身に着けた装着体１０を使用して、各種サービスを利用することができる。例えば、ユーザは、装着体１０を用いて、決済サービス、公共交通機関の乗降、セキュリティが掛かった部屋や建物への出入り、イベント等への参加における本人確認などを行うことができる。従って、装着体１０が他人によって装着され、使用されるようなことがあると、真のユーザは、プライバシーの侵害、経済的およびまたは社会的な損害を被ることになる可能性がある。そこで、装着体１０に認証装置３０Ａを設け、装着体１０を装着した者が真のユーザであるかどうかの判定を行う。認証装置３０Ａによる認証の結果、装着した者が真のユーザでない場合、装着体１０は、決済サービス等に用いる機能を停止する。第一の実施形態では、装着体１０がリング型ウェアラブル端末である場合を例に説明を行う。また、第一の実施形態では認証装置３０Ａが静脈認証によって真のユーザかどうかの認証を行う。
【００２１】
記憶部１１は、真のユーザの暗号化された個人情報を記憶している。個人情報とは、例えば、真のユーザに紐づけられた識別情報である。ここでいう識別情報とは、例えばＩＣカードに記録された情報と同様、各種決済サービスなどでユーザの識別に用いる情報である。
通信部１２は、ＮＦＣ（Near Field Communications）などの近距離無線通信によって、例えばＮＦＣカードリーダとの通信を行う。
バッテリ部１３は、装着体１０と認証装置３０Ａに電力を供給する２次電池である。
充電部１４は、受電用コイルなどを備える。充電部１４は、例えば非接触型充電器の送電用コイルから電力の供給を受け、バッテリ部１３に蓄電する。
制御部１５は、装着体１０の動作を制御する。例えば、ユーザが装着体１０をＮＦＣカードリーダにかざした場合、認証装置３０Ａが装着体１０を装着したユーザが真のユーザであるか判定する。制御部１５は、認証装置３０Ａが装着体１０を装着したユーザが真のユーザであると判定すれば、記憶部１１が記憶する真のユーザの個人情報の通信部１２を介した送信を許可し、決済サービス等を可能にする。
【００２２】
位置検出部３１は、装着体１０の生体への装着位置を検出する。位置検出部３１は、例えば、静電容量センサ、圧力センサ、温度センサ、加速度センサ、画像センサ、超音波センサなどである。
撮像部３２は、装着体１０を装着した装着位置に関するユーザの生体情報を含む画像を撮像する。撮像部３２は、装着位置判定部３４の判定に基づいて画像の撮像を行う。
装着検出部３３は、装着体１０のユーザによる装着動作の開始を検出する。
装着位置判定部３４は、装着検出部３３によって装着動作が開始されたことを検出されたことを契機として、装着体１０の装着位置が、装着体１０を装着したユーザが真のユーザかどうかの認証を行うための生体情報を含んだ画像を撮像するのに適した位置かどうかを判定する。
認証部３５は、装着位置判定部３４が判定した画像を撮像するのに適した位置で撮像部３２が撮像した画像と予め暗号化されて登録された真のユーザの生体情報を含んだ画像との照合を行う。認証部３５は、照合結果に基づいて、装着体１０を装着したユーザが真のユーザかどうかを認証する。
表示制御部３６は、装着位置判定部３４による判定結果や認証部３５による認証結果に基づいて、表示部３７に表示する情報を制御する。
表示部３７は、ユーザへ提示する情報を表示する。表示部３７は、例えば、ＬＥＤ（light emitting diode）である。
記憶部３８は、真のユーザの暗号化された生体情報を含んだ画像や認証処理に必要な各種情報を記憶している。
【００２３】
図３は、本発明の第一の実施形態における装着体１０Ａの具体的な構成図の一例である。
図３は、リング型ウェアラブル端末である装着体１０Ａ（以下、リング１０Ａと呼ぶ）の断面図である。リング１０Ａは、加速度センサ３１０、静電容量センサ３１１Ａ〜３１１Ｄ、光源３２０、ＴＦＴ（Thin Film Transistor）センサ（撮像素子）３２１、ＬＥＤランプ３７０Ａ〜３７０Ｃ、演算装置４０を備えている。この他にもリング１０Ａは、通信部１２やバッテリ部１３などに対応する構成を備えているが図示は省略する。図３に示す通り、静電容量センサ３１１Ａ〜３１１Ｄは、リング１０Ａの断面円周上に等間隔に配置されている。静電容量センサ３１１Ａ、３１１Ｃは、垂直方向に対向する位置に配置されている。静電容量センサ３１１Ｂ、３１１Ｄは、水平方向に対向する位置に配置されている。リング１０ＡのＴＦＴセンサ３２１が設けられた部分の内周面Ｇは、赤外光を通過させるカバーガラスで覆われている。静電容量センサ３１１Ｃは、ＴＦＴセンサ３２１で受光する赤外光の進行経路と交わらないようにリング１０Ａの、ＴＦＴセンサ３２１が設けられた位置よりも中心軸方向の紙面手前側又は奥側の位置に配置されている。他の静電容量センサ３１１Ａ、３１１Ｂ、３１１Ｄについても、中心軸方向に静電容量センサ３１１Ｃと同じ位置に配置されている。リング１０Ａの内周は真円である。
【００２４】
加速度センサ３１０は、リング１０Ａに加わる加速度を検出する。加速度センサ３１０は、例えば、３軸の加速度センサである。静電容量センサ３１１Ａは、静電容量センサ３１１Ａと指の皮膚の表面との距離を検出する。静電容量センサ３１１Ｂ〜３１１Ｄについても静電容量センサ３１１Ａと同様である。加速度センサ３１０および静電容量センサ３１１Ａ〜３１１Ｄは位置検出部３１の一例である。光源３２０は赤外光を照射する。ＴＦＴセンサ３２１は、その赤外光が指の中を散乱しつつ透過した透過光を受光する。ＴＦＴセンサ３２１は、受光した透過光を電気信号に変換し画像を生成する。ＴＦＴセンサ３２１が生成した画像には、リング１０Ａを装着した位置における静脈パターンが写し出される。光源３２０およびＴＦＴセンサ３２１は撮像部３２の一例である。ＬＥＤランプ３７０Ａ〜３７０Ｃは、ユーザに装着位置の判定結果や静脈認証による認証結果を表示する。例えば、ＬＥＤランプ３７０Ａ〜３７０Ｃは、表示制御部３６の指示信号に基づいて発光する。ＬＥＤランプ３７０Ａ〜３７０Ｃは、例えば、認証が成功すると点灯し、認証に失敗すると点滅する。別法として、ＬＥＤランプ３７０Ａ〜３７０Ｃは、例えば、赤色、緑色の２色に発光するＬＥＤであって、認証が成功すると緑色に点灯し、認証が失敗すると赤色に点灯するようにしてもよい。ＬＥＤランプ３７０Ａ〜３７０Ｃは表示部３７の一例である。演算装置４０は、例えばＣＰＵ（Central Processing Unit）を備えたコンピュータ装置である。演算装置４０は、記憶部を備えており、記憶部が記憶するプログラムを読み出して実行することにより、装着検出部３３、装着位置判定部３４、認証部３５、表示制御部３６の機能を実現する。
【００２５】
図４は、本発明の第一の実施形態における認証方法を説明する第一の図である。
図４は、ユーザがリング１０Ａを指３に装着した様子を示している。本実施形態では、リング１０Ａを所定の位置に装着した状態で検出することができる静脈パターンが含まれた画像を用いて静脈認証を行う。所定の位置とは、例えば、リング１０Ａを常時装着する位置である。従って、例えば、リング１０Ａが破線で図示した位置で認証を行っても認証は成功しない可能性がある。
そこで、本実施形態では、装着位置判定部３４が、例えば、加速度センサ３１０の検出結果を用いて、認証を行うべき位置にリング１０Ａが装着されているかどうかを判定する。具体的には、装着位置判定部３４は、リング１０Ａの装着動作の開始を検出した位置からリング１０Ａの装着動作の完了を検出した位置までの距離を算出し、この距離によって判定を行う。このリング１０Ａの挿入方向の位置を横方向の位置と呼ぶ。次に、図５を参照して横方向の位置の算出について説明を行う。
【００２６】
図５は、本発明の第一の実施形態における認証方法を説明する第二の図である。
ユーザは、リング１０Ａを矢印Ｒの方向に移動させて指３に装着する。このとき、リング１０ＡのＬＥＤランプ３７０Ａ〜３７０Ｃが設けられた側を上に向け、手の甲を上に向けた状態でリング１０Ａを装着すると決められている場合について説明する。静電容量センサ３１１Ａ〜３１１Ｄ各々は、検出した自センサと対象物との距離を示す情報を装着検出部３３へ出力する。例えば、リング１０Ａが位置Ａにあるとき、静電容量センサ３１１Ａ〜３１１Ｄは、リング１０Ａの指３への装着を示す有意な値を検出しない。次に、リング１０Ａが位置Ｂへ移動するとき、静電容量センサ３１１Ａは、静電容量センサ３１１Ａと指３の表面との距離を検出する。静電容量センサ３１１Ａは、検出した距離の情報を装着検出部３３へ出力する。同様に静電容量センサ３１１Ｂ〜３１１Ｄ各々は、検出した自センサと指の表面との距離の情報を装着検出部３３へ出力する。装着検出部３３は、静電容量センサ３１１Ａ〜３１１Ｄから取得した情報に基づいて、リング１０Ａが、指３の所定の位置（例えば、指３の先端付近）に到達したかどうかを判定する。例えば、装着検出部３３は、静電容量センサ３１１Ａ〜３１１Ｄから取得した距離の情報のそれぞれが、リング１０Ａの指３への装着を示す所定の範囲の値となった場合に、装着位置判定部３４にリング１０Ａの挿入が開始されたことを示す検知信号を出力する。
【００２７】
装着位置判定部３４は、検知信号を取得すると、加速度センサ３１０によるリング１０Ａの移動距離の測定を開始する。具体的には、装着位置判定部３４は、所定の時間間隔で、加速度センサ３１０から加速度の情報を取得し、移動距離を算出する。
ユーザによる装着動作が停止し、加速度センサ３１０が検出した加速度が所定値（例えば、０）になると、装着位置判定部３４は、リング１０Ａの横方向の位置が、所定の横方向の位置であるかどうかを判定する。具体的には、装着位置判定部３４は、ユーザがリング１０Ａを認証位置に装着したことに対応する所定の距離の情報（判定基準値）を記憶部３８から読み出す。装着位置判定部３４は、算出した移動距離と読み出した所定の距離とを比較する。算出した移動距離が読み出した所定の距離と等しい場合（あるいは、算出した移動距離が所定の距離を含むある範囲内の値である場合）、装着位置判定部３４は、リング１０Ａが所定の横方向の位置にあると判定する。算出した移動距離が読み出した所定の距離と等しくない場合（あるいは、算出した移動距離が所定の距離を含むある範囲内の値ではない場合）、装着位置判定部３４は、リング１０Ａが所定の横方向の位置に無いと判定する。また、装着位置判定部３４は、算出した移動距離と読み出した所定の距離との差分を計算する。装着位置判定部３４は、判定結果と計算した距離の差分の情報とを表示制御部３６へ出力する。
【００２８】
表示制御部３６は、取得した判定結果に対応する表示を、ＬＥＤランプ３７０Ａ〜３７０Ｃを用いて行う。例えば、リング１０Ａが所定の横方向の位置にある場合、表示制御部３６は、横方向の位置が適切であることを示すためにＬＥＤランプ３７０Ｂを１回点滅させる。例えば、リング１０Ａが所定の横方向の位置になく、算出した移動距離が読み出した所定の距離に満たない場合、表示制御部３６は、ＬＥＤランプ３７０Ａを１回点滅させる。例えば算出した移動距離が読み出した所定の距離を上回る場合、表示制御部３６は、ＬＥＤランプ３７０Ｃを１回点滅させる。これにより、ユーザは、リング１０Ａの移動距離が適切かどうかを把握することができる。さらに、ユーザは、リング１０Ａの移動距離が適切でない場合は、移動量が足りないか多いかを把握することができる。ユーザは、この表示を参考にしてリング１０Ａの横方向の位置を認証に適した位置に調整する。ユーザがリング１０Ａの横方向の位置を調整すると、例えば、加速度センサ３１０が検出した加速度が所定値（例えば、０）を示すことを契機として、装着位置判定部３４は、再び、横方向の位置判定を行う。このような調整を繰り返すことで、リング１０Ａの横方向の位置のずれを認証に適した位置とすることができる。
【００２９】
図６Ａおよび６Ｂは、本発明の第一の実施形態における認証方法を説明する第三の図である。
図６Ａと図６Ｂは、ユーザがリング１０Ａを装着した状態で指先方向から見た断面図である。図６Ａの例では、ユーザは、リング１０ＡのＬＥＤランプ３７０Ａ〜３７０Ｃが設けられた側を上に向け、手の甲を上に向けた状態でリング１０Ａを装着している。図６Ｂの例では、ユーザは、ＬＥＤランプ３７０Ａ〜３７０Ｃが斜め上に向き、手の甲が上に向いた状態でリング１０Ａを装着している。図６Ａが示す指３とリング１０Ａの位置関係で撮像された認証用画像（予め記憶部３８に登録された真のユーザの静脈パターンを含む画像）を用いて静脈認証を行う場合、例えば、図６Ｂが示す指３とリング１０Ａの位置関係で、撮像部３２が撮像した画像と照合して静脈認証を行っても認証は成功しない可能性がある。
そこで、本実施形態では、装着位置判定部３４は、リング１０Ａの横方向の位置に加え、静脈パターンを含む画像を撮像する方向を検出する。装着位置判定部３４は、リング１０Ａが装着されている状態でのリング１０Ａの中心軸周りの回転方向の位置が、認証を行うべき位置かどうかを判定する。次に、図７Ａ、図７Ｂ、図８Ａおよび図８Ｂを用いて回転方向の位置の算出について説明を行う。
【００３０】
図７Ａおよび７Ｂは、本発明の第一の実施形態における認証方法を説明する第四の図である。
図７Ａと図７Ｂは、ユーザがリング１０Ａを装着した状態で指先方向から見た断面図である。図７Ａと図７Ｂの例において、ユーザの手の甲は上向きの状態である。図７Ａの例では、ユーザは、リング１０ＡのＬＥＤランプ３７０Ａ等が設けられた側が上を向いている。図７Ｂの例では、ユーザは、ＬＥＤランプ３７０Ａ等が斜め上を向く（例えば、斜め４５度）位置で指３に装着されている。
一般にユーザの指３の断面は、略楕円を形成する場合が多い。従って、リング１０Ａを装着した状態では、図７Ａに示すように指の横の部分がリング１０Ａの内周面に接し、指の上下面とリング１０Ａの内周面との間には隙間ができる。静電容量センサ３１１Ａと指との距離をＬ１ａ、静電容量センサ３１１Ｂと指との距離をＬ１ｂと表記する。また、静電容量センサ３１１Ｃと指との距離をＬ１ｃ、静電容量センサ３１１Ｄと指との距離をＬ１ｄ表記とする。この場合、図７Ａの状況では、Ｌ１ａおよびＬ１ｃは、Ｌ１ｂおよびＬ１ｄよりも大きな値となる。一方、図７Ｂの状況では、Ｌ１ａ、Ｌ１ｂ、Ｌ１ｃ、Ｌ１ｄはそれぞれ、ほぼ同じとなる。よって、断面が楕円を形成する指３と内周が真円を形成するリング１０Ａとの間には隙間ができる部分と密着した部分ができることを利用することにより、リング１０Ａの回転方向の位置を検出することができる。装着位置判定部３４は、指３とリング１０Ａに設けられた静電容量センサ３１１Ａ〜３１１Ｄとの距離に基づいて、リング１０Ａの回転方向の位置が認証に適した位置であるかどうかを判定する。
【００３１】
図８Ａおよび８Ｂは、本発明の第一の実施形態における認証方法を説明する第五の図である。
図８Ａは、リング１０Ａを、図７Ａに示す場合を基準として、図７Ｂの場合とは逆方向に４５度傾けて（回転させて）装着した場合の図である。
図８Ａの場合、図７Ｂの場合と同様に、Ｌ１ａ、Ｌ１ｂ、Ｌ１ｃ、Ｌ１ｄはそれぞれ、ほぼ同じとなる。また、図８ＡにおけるＬ１ａ〜Ｌ１ｂと、図７ＢにおけるＬ１ａ〜Ｌ１ｂとは、ほぼ同じとなる。従って、静電容量センサ３１１Ａ〜３１１Ｄが検出する指３との距離だけでは、装着位置判定部３４は、リング１０Ａの回転方向の位置が、右に傾いているのか（図７Ｂ）、左に傾いているのか（図８Ａ）を判別することができない可能性がある。そこで、装着位置判定部３４は、記憶部３８が記憶する認証を行う回転方向の位置（図７Ａの状態）で加速度センサ３１０が検出する加速度方向を基準として、リング１０Ａの傾き方向を判定する。例えば、記憶部３８には、図７Ａの状態で加速度センサ３１０が検出した加速度方向の座標情報（座標情報１）が記録されている。装着位置判定部３４は、例えば、図８Ａの状態で加速度センサ３１０が検出した加速度方向の座標情報（座標情報２）を加速度センサ３１０から取得する。装着位置判定部３４は、座標情報１と座標情報２を用いて、座標情報１が示すベクトルに対する座標情報２が示すベクトルの角度を計算する。これにより、装着位置判定部３４は、図８Ａの状態でのリング１０Ａが、認証を行う回転方向の位置からどの方向にどれだけ傾いているかを判定することができる。リング１０Ａの傾きの検出にジャイロセンサを用いてもよい。
【００３２】
静脈認証を行う回転方向の位置を、リング１０ＡのＬＥＤランプ３７０Ａ等が設けられた側が上を向き、手の甲を上に向けた状態と定めておく。この場合において、ユーザがリング１０Ａを傾いた状態で装着した場合について説明する。この場合、まず、装着位置判定部３４は、静脈認証を行う回転方向の位置にあるときの静電容量センサ３１１Ａ〜３１１Ｄと指３との距離（判定基準値）を記憶部３８から読み出す。記憶部３８が記憶するこれらの値に関して、例えば、静電容量センサ３１１Ａと指３との距離および静電容量センサ３１１Ｃと指３との距離がＬｙ、静電容量センサ３１１Ｂと指３との距離および静電容量センサ３１１Ｄと指３との距離がＬｘ（例えば、Ｌｘ＝０）と設定されている。装着位置判定部３４は、読み出したこれらの値と、静電容量センサ３１１Ａ〜３１１Ｄが検出したＬ１ａ、Ｌ１ｂ、Ｌ１ｃ、Ｌ１ｄとを比較する。装着位置判定部３４は、例えばＬ１ａおよびＬ１ｃがＬｙとみなせる所定の範囲内の値ではない場合、リング１０Ａの回転方向の位置は認証を行う位置でないと判定する。次に装着位置判定部３４は、加速度センサ３１０が検出する値によって、認証を行う回転方向の位置を基準としてリング１０Ａがどちら側に傾いているかを判定する。装着位置判定部３４は、判定結果を表示制御部３６へ出力する。
【００３３】
表示制御部３６は、取得した判定結果に対応する表示を、ＬＥＤランプ３７０Ａ〜３７０Ｃを用いて行う。例えば、リング１０Ａが認証を行う位置にある場合、表示制御部３６は、ＬＥＤランプ３７０Ｂを２回点滅させる。例えば、リング１０Ａが紙面向かって右側に傾いていれば、表示制御部３６は、ＬＥＤランプ３７０Ａを２回点滅させ、傾きを修正する方向を示す。逆に、リング１０Ａが紙面向かって左側に傾いていれば、表示制御部３６は、ＬＥＤランプ３７０Ｃを２回点滅させる。ユーザは、この表示に応じてリング１０Ａの回転方向の位置を認証に適した位置に調整する。
【００３４】
図８Ｂは、図７Ｂの状態からさらにリング１０Ａを紙面向かって右に傾けて装着した場合の図である。このような場合、上述の処理により、表示制御部３６は、ＬＥＤランプ３７０Ａを２回点滅させる。ユーザは、この表示に応じてリング１０Ａを紙面向かって左回りに回転させて回転方向の位置を調整する。
例えば、図７Ｂの状態でのＬ１ａの値と図８Ｂの状態でのＬ１ａの値を比較すると、図７ＢでのＬ１ａの値は、図８ＢでのＬ１ａの値に比べ大きい。つまり、ユーザが図８Ｂの状態から紙面向かって左回りに回転させると、静電容量センサ３１１Ａが、認証を行う位置に至るまでの間は、Ｌ１ａの値は徐々に大きくなる。同様にＬ１ｄの値に関しては、静電容量センサ３１１Ｄが、認証を行う位置に至るまでの間は、Ｌ１ｄの値は徐々に小さくなる。このように、認証を行う回転方向の位置を基準とした回転角度９０度の範囲で静電容量センサ３１１Ａ〜３１１Ｄと指３との距離の変化を監視すると、装着位置判定部３４は、ユーザによるリング１０Ａの回転方向を判定することができる。
例えば、装着位置判定部３４は、リング１０Ａが紙面向かって右に傾いた状態であると判定してからＬ１ａの値を監視し続け、Ｌ１ａの値が徐々に大きくなり、且つ、Ｌｙ未満であれば、リング１０Ａはまだ右に傾いた状態であると判定する。この場合、表示制御部３６は、ＬＥＤランプ３７０Ａを２回点滅させる。また、Ｌ１ａの値が徐々に大きくなり、Ｌｙに至った後、徐々に小さくなった場合、装着位置判定部３４は、ユーザが認証を行う位置を超えてリング１０Ａを回転させたと判定する。この場合、表示制御部３６は、ＬＥＤランプ３７０Ｃを２回点滅させる。このようにして、装着位置判定部３４がリング１０Ａの回転方向の位置を判定し、表示部がその結果を表示することで、ユーザは、リング１０Ａの回転向の位置のずれを認証に適した位置とすることができる。
【００３５】
図９は、本発明の第一の実施形態における認証方法の一例を示すフローチャートである。
図９を参照して、リング１０Ａを静脈認証に適した位置に合わせる処理の流れを中心に説明を行う。
前提として、リング１０Ａのマニュアルなどにリング１０Ａの装着方法が記載されていて、ユーザは、その装着方法に従ってリング１０Ａを装着する。例えば、リング１０Ａのマニュアルには、リング１０ＡをＬＥＤランプ３７０Ａ等が設けられた側を上に向けた状態で、移動方向を水平に保って装着するようにとの指示が記載されている。また、リング１０Ａのマニュアルには、ユーザは、手の甲を上に向けた状態でリング１０Ａを装着するようにとの指示が記載されている。
まず、ユーザがリング１０Ａの指３への装着を開始する。静電容量センサ３１１Ａ〜３１１Ｄの各々は、リング１０Ａの指３への装着が開始されると、指３との距離を検出し、その距離情報を装着検出部３３へ出力する。装着検出部３３は、静電容量センサ３１１Ａ〜３１１Ｄから取得した距離情報に基づいて、リング１０Ａの指３への装着動作の開始を検出する（ステップＳ１１）。例えば、装着検出部３３は、取得した距離情報の全てが所定の範囲の値となったときに、装着動作の開始を検出する。すると、装着検出部３３は、装着動作が開始されたことを示す信号を、装着位置判定部３４に出力する。装着検出部３３が装着動作の開始を検出したときのリング１０Ａの水平方向の位置は、上述の「指３の所定の位置」である。装着動作が開始されたことを示す信号を取得すると、装着位置判定部３４は、加速度センサ３１０から加速度の情報を取得開始する。ユーザは、リング１０Ａを所定の装着位置まで移動させ、装着動作を一旦停止する。
【００３６】
リング１０Ａの移動が停止すると、装着位置判定部３４は、所定の時間間隔で取得した加速度の情報を用いて、水平方向の移動距離を算出する（ステップＳ１２）。
また、装着位置判定部３４は、回転方向の位置情報を取得する（ステップＳ１３）。具体的には、装着位置判定部３４は、静電容量センサ３１１Ａ〜３１１Ｄと指３との距離の情報を各静電容量センサ３１１Ａ〜３１１Ｄの各々から取得する。また、装着位置判定部３４は、加速度センサ３１０からリング１０Ａの傾きを示す情報を取得する。
【００３７】
次に、装着位置判定部３４は、リング１０Ａの装着位置が正しいかどうかを判定する（ステップＳ１４）。装着位置判定部３４は、記憶部３８からリング１０Ａの移動距離の判定基準値を読み出し、読み出した判定基準値とステップＳ１２で算出した水平方向の移動距離と比較する。また、装着位置判定部３４は、記憶部３８から各静電容量センサ３１１Ａ〜３１１Ｄと指３との距離の判定基準値を読み出し、読み出した判定基準値とステップＳ１３で各静電容量センサ３１１Ａ〜３１１Ｄから取得した距離の情報と比較する。水平方向の移動距離および各静電容量センサ３１１Ａ〜３１１Ｄと指３との距離の全てがそれぞれについて設定されている判定基準値と等しい場合（あるいは、等しいとみなせる範囲内にある場合）、装着位置判定部３４は、リング１０Ａの装着位置が正しい（認証を行う位置である）と判定する。そうでない場合、装着位置判定部３４は、リング１０Ａの装着位置は正しくないと判定する。すなわち、水平方向の移動距離および各静電容量センサ３１１Ａ〜３１１Ｄと指３との距離のうち少なくとも一つが設定されている判定基準値と等しくない場合、装着位置判定部３４は、リング１０Ａの装着位置は正しくないと判定する。装着位置判定部３４がリング１０Ａの装着位置は正しくないと判定した場合（ステップＳ１４：Ｎｏ）、装着位置判定部３４は、判定基準値とリング１０Ａの装着位置を示す値との差の情報を表示制御部３６に出力する。表示制御部３６は、表示部３７に装着位置を改善するための位置合わせ情報を表示する（ステップＳ１５）。例えば、水平方向の移動距離にずれがある場合、装着位置判定部３４は、移動距離の判定基準値から算出した移動距離を減じることにより得られた値を表示制御部３６に出力する。
表示制御部３６は、取得した値が正の値であれば、ＬＥＤランプ３７０Ａを１回点滅させる。回転位置にずれがある場合も同様である。ユーザは、この位置合わせ情報を参照してリング１０Ａの位置を調整する。装着位置判定部３４は、位置調整後のリング１０Ａの装着位置が認証に適した正しい位置であるかどうかを判定するステップＳ１４からの処理を繰り返す。
【００３８】
一方、装着位置判定部３４が装着位置は正しいと判定した場合（ステップＳ１４：Ｙｅｓ）、装着位置判定部３４は、認証処理を指示する信号を認証部３５に出力する。次に、認証部３５は、認証処理を実行する（ステップＳ１６）。認証部３５は、撮像部３２（光源３２０、ＴＦＴセンサ３２１）に撮像を指示する。認証部３５は、撮像部３２が撮像した画像を取得する。認証部３５は、記憶部３８から真のユーザの静脈パターンを含む画像（認証用画像）を読み出す。認証部３５は、読み出した画像と、撮像部３２が今回撮像した画像とを照合する。２つの画像の類似度が所定の閾値よりも高い場合、認証部３５は、認証は成功したと判定する。認証が成功した場合（ステップＳ１７：Ｙｅｓ）、処理フローは終了する。さらに、認証部３５は、認証結果を制御部１５へ出力する。制御部１５は、認証結果に基づいて記憶部１１が記憶する個人情報を利用した各種サービスに用いる機能を動作可能に設定する。ユーザは、リング１０Ａを用いた決済サービス等を利用することができる。
【００３９】
認証が失敗した場合（ステップＳ１７：Ｎｏ）、制御部１５は、認証結果を、表示制御部３６へ出力する。表示制御部３６は、表示部３７にエラーメッセージを表示する。具体的には、表示制御部３６は、ＬＥＤランプ３７０Ａ等を認証の失敗を示す所定の方法で点灯させる。次に、認証部３５は、認証処理のリトライを行うか否かを判定する。例えば、認証部３５は、予め定められたリトライ回数を記憶部３８から読み出して、読み出したリトライ回数と今回ユーザがリング１０Ａを装着してから認証処理を行った回数と比較する。認証処理を行った回数が所定のリトライ回数以上であれば、認証部３５は、これ以上リトライしないと判定し（ステップＳ１９：Ｎｏ）、処理フローは終了する。認証部３５は、認証結果を制御部１５へ出力する。制御部１５は、認証結果に基づいて、記憶部１１が記憶する個人情報を利用した各種サービスに用いる機能が動作しないよう制御を行う。ユーザは、リング１０Ａを利用した決済サービス等を利用することができなくなる。
【００４０】
認証処理を行った回数が所定のリトライ回数以内であれば、認証部３５は、リトライすると判定し（ステップＳ１９：Ｙｅｓ）、リトライを装着位置判定部３４に指示する。装着位置判定部３４は、ステップＳ１４からの処理を繰り返す。リトライ時にリング１０Ａの装着位置が正しいかどうかの判定を行う場合、装着位置判定部３４は、装着位置の判定を初回の判定よりもより厳密に行うようにしても良い。例えば、初回の判定で用いた移動距離および回転位置の判定基準値からのずれの許容範囲よりも２回目の判定における許容範囲を狭くし、３回目のリトライではさらに許容範囲を狭めて判定を行うようにしてもよい。これにより、正確な位置でユーザの静脈パターンを含む画像を撮像し、その画像によって認証を行うことができるようになる。
【００４１】
これまで、リング１０Ａの装着位置を所定の横方向の位置、所定の回転方向の位置に合わせて静脈認証を行う場合（認証方法１）の説明を行った。本実施形態においては、１方向から撮像した静脈パターンの認証用画像を暗号化して予め登録しておき、その認証用画像と照合し認証を行えば良い。この方法の場合、ユーザがリング１０Ａの使用を開始するときに、ユーザがリング１０Ａを普段身に着ける位置に装着した状態で、撮像部３２によって撮像した認証用画像を記憶部３８に登録しておく。また初回の認証用画像の撮像時には、手の甲を上に向け、リング１０Ａの所定の面が上を向く状態で装着するようにし、装着位置判定部３４が、その装着位置での静電容量センサ３１１Ａ〜３１１Ｄと指３との距離を記憶部３８に記録する。また、装着検出部３３が、装着動作の開始を検出してから普段身につける装着位置までの距離を、装着位置判定部３４が加速度センサ３１０の検出結果を用いて算出し、記憶部３８に記録する。
【００４２】
また他の認証方法（認証方法２）として次のような方法を採用してもよい。すなわち、認証用画像や認証する位置の情報を記憶部３８に登録する初期設定時に、ユーザがリング１０Ａを普段身に着ける横方向の位置に装着した状態で、リング１０Ａを１周させつつ、撮像部３２が連続的に認証用画像を撮像する。３６０度の全周方向から撮像した認証用画像を登録する場合に限られず、例えば、１０度ごとにリング１０Ａを回転させて複数の角度から認証用画像を撮像してもよい。記憶部３８は、所定の横方向の位置における１周分の（または複数の角度から撮像した）暗号化済みの認証用画像を記憶する。また、装着位置判定部３４は、ユーザがリング１０Ａを普段身につける所定の横方向の位置までの距離を加速度センサ３１０の検出結果を用いて算出し、記憶部３８に記録する。１周分の認証用画像が得られた場合、図９のステップＳ１４において、装着位置判定部３４は、横方向の位置の判定だけを行って、装着位置が正しいかどうかを判定する。また、認証部３５は、撮像部３２が撮像した画像と記憶部３８が記憶する1周分の認証用画像のそれぞれとを照合し、認証処理を行う。初期設定時に撮像部３２が撮像した画像を、その画像を撮像したときの加速度センサ３１０の検出結果および静電容量センサ３１１Ａ〜３１１Ｄのそれぞれと指３との距離と対応付けて記憶部３８に記録するようにしてもよい。この場合、図９のステップＳ１４において、装着位置判定部３４は、横方向の位置の判定だけを行って、装着位置が正しいかどうかを判定する。また、ステップＳ１６において、認証部３５は、加速度センサ３１０の検出結果および静電容量センサ３１１Ａ〜３１１Ｄの検出結果を用いて、それらの値と対応付けて登録された認証用画像、あるいはそれらの検出結果から所定の範囲内にある検出結果と対応付けられた認証用画像、を記憶部３８から読み出してそれらの認証用画像とユーザの指３を撮像した画像とを照合する。これにより、照合処理の処理負担を軽減することができる。また、１周分ではない複数の角度からの認証用画像を登録した場合にも認証処理を行うことができる。この認証方法２であれば、ユーザがリング１０Ａを装着したときの回転方向の位置がどの位置であっても、あるいは、複数の位置において、認証部３５は、認証処理を行うことができる。
【００４３】
他の認証方法（認証方法３）として次のような方法を採用してもよい。この方法では、初期設定時にリング１０Ａを普段身に着ける横方向の位置を含む、所定の横方向の範囲にわたって、指３の全周囲方向から撮像した暗号化済みの認証用画像を記憶部３８に登録する。この方法の場合、図９のステップＳ１４において、装着位置判定部３４は、横方向の位置が認証用画像を撮像した所定の横方向の範囲に含まれるかどうかの判定を行って、装着位置が正しいかどうかを判定する。また、認証部３５は、撮像部３２が撮像した画像と記憶部３８が記憶する認証用画像のそれぞれとを照合し、認証処理を行う。初期設定時に撮像した認証用画像を、その認証用画像に対応するリング１０Ａの装着時の横方向の位置、回転方向の位置の情報と対応付けて記憶部３８に登録するようにしてもよい。この場合、図９のステップＳ１６において、認証部３５は、加速度センサ３１０の検出結果および静電容量センサ３１１Ａ〜３１１Ｄの検出結果を用いて、横方向の位置、回転方向の位置を算出し、横方向および回転方向の位置と対応付けて登録された認証用画像、あるいはそれら横方向および回転方向の位置から所定の範囲にある位置と対応付けて登録された認証用画像を記憶部３８から読み出して、それらの認証用画像とユーザの指３を撮像した画像とを照合する。これにより照合処理の処理負担を軽減することができる。この認証方法３であれば、リング１０Ａの装着位置の制約を受けることなく、認証部３５は、認証処理を行うことができる。この認証方法３においても、全周囲方向から撮影した１周分の認証用画像を得る場合に限定されず、複数の角度から撮像した認証用画像を登録するようにしてもよい。
【００４４】
＜装着位置の判定の他の例＞
これまでに、加速度センサ３１０による横方向の位置、静電容量センサ３１１Ａ〜３１１Ｄと指３との距離、加速度センサ３１０によるリング１０Ａの傾きによって、リング１０Ａの装着位置を判定する場合を例に説明を行ってきた。別法として、次のような方法で装着位置を判定してもよい。
【００４５】
＜指の表面画像による位置判定＞
指の表面画像による位置判定では、指の皮膚のしわ模様（皮膚模様）を利用して、静脈認証を行う位置を判定する。この方法の場合、図３におけるＴＦＴセンサ３２１と対向する面に可視光の光源を設け、ＴＦＴセンサ３２１がリング１０Ａ装着時の指３の表面の様子を撮像する。記憶部３８は、予めリング１０Ａ装着時の指３の表面を撮像した位置判定用画像を記憶している。装着位置判定部３４は、位置判定用画像と撮像部３２が撮像した皮膚模様の画像との照合を行って、リング１０Ａが認証を行う適切な位置に装着されたかどうかを判定する。
【００４６】
＜脈波センサを用いた位置判定＞
脈波センサを用いた位置判定では、リング１０Ａの内周側に脈波センサを設け、脈拍を検出する。記憶部３８は、脈波センサが脈拍を検出できる位置で撮像した認証用画像を記憶している。装着位置判定部３４は、脈波センサが脈拍を検出できると、リング１０Ａが認証を行う適切な位置に装着されたと判定する。別法として、脈波センサによって脈拍強度を検出し、装着位置判定部３４は、脈拍強度が所定の値である場合にリング１０Ａが適切な位置に装着されたと判定してもよい。脈波センサが脈拍を検出できる位置とユーザがリング１０Ａを普段装着する位置とは異なっていてもよい。このようにリング１０Ａを普段装着する位置に関係なく認証を行う例として、次のような方法を採用してもよい。爪の生え際の位置は変化しない。そこで、リング１０Ａのどちらかの端面を、爪の生え際の位置に合わせたときに撮像できる静脈パターンを含む認証用画像を記憶部３８に登録しておき、認証を行う時には、リング１０Ａの爪の生え際の位置に合わせて静脈認証を行う。
【００４７】
＜圧力センサを用いた位置判定＞
圧力センサを用いた位置判定では、リング１０Ａの内周側に圧力センサを設ける。記憶部３８は、リング１０Ａを認証を行う位置に装着したときに圧力センサが検出する圧力値（基準判定値）を記憶している。装着位置判定部３４は、圧力センサが検出する圧力値が、基準判定値から所定の範囲内にある場合に、リング１０Ａが認証を行う適切な位置に装着されたと判定する。
【００４８】
＜温度センサを用いた位置判定＞
同様に、リング１０Ａの内周側に温度センサを設け、温度によって位置判定を行ってもよい。記憶部３８は、ユーザがリング１０Ａを装着したときの指３の表面温度を判定基準温度として記憶している。装着位置判定部３４は、温度センサが検出する温度が、判定基準温度から所定の範囲内の値である場合に、リング１０Ａが認証を行う適切な位置に装着されたと判定する。
【００４９】
＜超音波センサを用いた位置判定＞
超音波センサを用いた位置判定では、リング１０Ａに超音波センサを設ける。超音波センサを用いると、超音波を指３に対し照射したときのエコーによって、例えば、指３の表面と骨の距離を検出することができる。装着位置判定部３４は、超音波センサが検出する指３の表面と骨の距離によって、リング１０Ａの回転方向の位置を判定する。
【００５０】
＜他の例＞
指の関節の位置では赤外線が透過しやすい。この性質を利用して、装着位置判定部３４は、ユーザがリング１０Ａを横方向に移動させる間のＴＦＴセンサ３２１が受光する光の量に応じて指の関節位置を検出する。そして、装着位置判定部３４は、指の関節位置からの移動距離を加速度センサ３１０の検出結果を用いて算出し、リング１０Ａの横方向の位置を判定してもよい。
【００５１】
ここで列挙した位置判定のための各種センサによる検出結果は、認証にも用いることができる。例えば、静脈認証に代えて、皮膚模様による認証を行ってもよし、これらを組み合わせてもよい。
【００５２】
本実施形態によれば、常に身に着けていても邪魔にならない程度に小型化されたリング型ウェアラブル端末（リング１０Ａ）を利用することができる。また、本実施形態の認証装置によれば、静脈認証によってリング１０Ａを装着したユーザが真のユーザかどうかを認証することができる。また、静脈認証を行うにあたりリング１０Ａを、認証を行う位置に装着する必要がある。本実施形態の認証装置３０Ａによれば、リング１０Ａの装着位置が認証を行う位置かどうかを判定し、適切な装着位置を示すガイド表示を行うことによって、ユーザがリング１０Ａを適切な位置に装着することをサポートすることができる。
【００５３】
＜第二の実施形態＞
以下、本発明の第二の実施形態による認証システムを図１０〜図１１を参照して説明する。
図１０は、本発明の第二の実施形態による認証システムの一例を示す図である。
図１０で示すように、本実施形態による認証システムは、装着体１０Ｂ、表示装置２０Ｂを含む。装着体１０Ｂと表示装置２０Ｂとは、互いに通信可能に接続されている。図１０に示す例において、装着体１０Ｂは、記憶部１１と、通信部１２と、バッテリ部１３と、充電部１４と、制御部１５と、認証装置３０Ｂとを含む。認証装置３０Ｂは、位置検出部３１と、撮像部３２と、装着検出部３３と、装着位置判定部３４と、認証部３５と、記憶部３８と、を備えている。第二の実施形態による認証システムの機能部は、第一の実施形態と同じ場合には同じ符号を付して説明する。装着体１０Ｂは、例えばリング型のウェアラブル端末である。装着体１０Ｂの具体的な構成は、図３で例示した装着体１０Ａと同様である。
【００５４】
表示装置２０Ｂは、表示制御部２１と、表示部２２と、通信部２３と、記憶部２４とを備えている。表示制御部２１は、通信部２３が受信した情報に基づいて、ユーザに提示する情報を、表示部２２に表示させる。表示部２２は、タッチパネルなどの入力機能を備えた部材と一体的に組み合わされたディスプレイである。通信部２３は、装着体１０Ｂとの通信を行う。記憶部２４は、種々の情報を記憶する。表示装置２０Ｂは、例えば、スマートフォンやタブレット端末などの電子端末である。第二の実施形態では、表示装置２０Ｂが、装着体１０Ｂにおける認証結果や位置判定結果を表示する。ユーザは、表示装置２０Ｂが表示する情報を参考にして装着体１０Ｂの装着位置の調整を行うことができる。
【００５５】
第二実施形態の動作について説明する。ユーザが、装着体１０Ｂを装着すると、認証装置３０Ｂは、装着体１０Ｂを装着したユーザが真のユーザか否かを判定する。認証装置３０Ｂの処理は、第一の実施形態の場合と同様である。具体的には、位置検出部３１が、装着位置に関する情報を検出し、装着位置判定部３４が、装着体１０Ｂの装着位置が認証を行う位置かどうかを判定する。装着位置が認証を行う位置であると判定した場合は、認証部３５が撮像部３２が撮像した画像を用いて静脈認証により装着体１０Ｂを装着したユーザが真のユーザかどうか認証する。
【００５６】
本実施形態においては、装着位置判定部３４は、装着位置の判定結果を通信部１２へ出力する。また、認証部３５は、認証結果を、通信部１２に出力する。通信部１２は、これらの情報を表示装置２０Ｂに送信する。表示装置２０Ｂでは、通信部２３が、装着体１０Ｂからこれらの情報を受信し、表示制御部２１へ出力する。表示制御部２１は、装着体１０Ｂから受信した情報に基づいて、表示部２２に表示させる表示画像を生成する。
また、装着体１０Ｂがリングの場合を例にとると、初回設定時に、通信部１２は、認証用画像、認証を行う位置に関する情報（所定の横方向の位置、回転方向の位置の情報など）を装着位置判定部３４から取得し、表示装置２０Ｂへ送信する。表示装置２０Ｂでは、通信部２３が、これらの認証位置に関する情報を受信し、記憶部２４に書き込んで記憶させる。
【００５７】
図１１は、本発明の第二の実施形態による認証システムにおける表示例を示す図である。
装着位置判定部３４は、図９のステップＳ１４にて装着位置は正しくないと判定すると、算出した横方向の位置と回転方向の位置の情報や、装着位置の判定に失敗したことを示す情報を、通信部１２を介して表示装置２０Ｂへ送信する。表示装置２０Ｂでは、表示制御部２１が、装着体１０Ｂから受信した横方向および回転方向の位置の情報と、記憶部２４が記憶する認証位置の横方向および回転方向の位置の情報と、に基づいて図１１で例示したような画像Ｉを生成し、表示部２２へ表示させる。図１１に示す破線で記した位置Ｐ１は、記憶部２４が記憶する認証位置を示す。実線で記した位置Ｐ２は、装着体１０Ｂから受信した情報に基づく現在の装着位置での認証位置を示している。表示制御部２１は、装着体１０Ｂの装着位置が認証を行う位置となるように改善するための情報（図１１の矢印Ｒ１、Ｒ２）を表示させる。ユーザは、この表示を参考に装着体１０Ｂの装着位置を調整することができる。
【００５８】
表示制御部２１は、認証部３５による認証が失敗した場合は、「認証に失敗しました」等のメッセージを表示部２２に表示させる。表示制御部２１は、認証部３５による認証処理中であれば「認証中です」等のメッセージを表示部２２に表示させる。表示制御部２１は、認証処理のリトライ中であれば「リトライ中です」等のメッセージを表示部２２に表示させる。表示制御部２１は、装着検出部３３が装着動作の開始を検出した場合は「装着開始を検出しました」等のメッセージを表示部２２に表示させる。このように、本実施形態では、認証装置３０Ｂにおける処理状況と表示装置２０Ｂが表示する情報とを連携させる。これにより、ユーザが装着体１０Ｂを装着してから認証を行うまでの利便性を向上させることができる。
【００５９】
次に静脈パターンの認証用画像の登録処理について説明を行う。
図１２は、本発明の第二の実施形態における認証用画像の登録方法の一例を示すフローチャートである。
まず、ユーザが表示部２２に対して所定の操作を行って認証用画像の登録指示を受け付ける画面を表示部２２に表示させる。また、ユーザは、装着体１０Ｂを普段身に着ける位置に装着する。次にユーザが表示部２２に対して認証用画像登録の開始を指示する操作を行う。すると、表示部２２は、その認証用画像の登録の開始を指示する操作を受け付けて通信部２３を介して、装着体１０Ｂに認証用画像の登録を指示する信号を送信する。装着体１０Ｂでは、通信部１２が認証用画像の登録指示信号を受信する（ステップＳ２１）。
通信部１２は、登録指示信号を撮像部３２に出力する。次に撮像部３２は、認証用画像の撮像を実行する（ステップＳ２２）。具体的には、認証用画像とは、ユーザが装着体１０Ｂを装着した位置での静脈パターンを含んだ画像である。次に装着位置判定部３４が装着体１０Ｂの装着位置の位置情報を取得する（ステップＳ２３）。例えば、装着位置判定部３４は、加速度センサ３１０の検出結果を用いて、装着検出部３３が装着動作の開始を検出してから普段身につける装着位置までの距離を算出する。また、装着位置判定部３４は、静電容量センサ３１１Ａ〜３１１Ｄが検出した指３との距離を取得する。また、装着位置判定部３４は、加速度センサ３１０の検出結果の座標情報を取得する。このようにして装着位置判定部３４は、装着体１０Ｂの横方向の位置と回転方向の位置を取得する。装着位置判定部３４は、取得したこれらの位置情報を記憶部３８に記録する。次に撮像部３２は、撮像した認証用画像を暗号化して、暗号化された画像を先に記録した位置情報と対応付けて記憶部３８に記録する（ステップＳ２４）。これにより、一方向から撮像した認証用画像を登録し、装着体１０Ｂを装着したユーザの認証処理を行うことができるようになる。
【００６０】
＜第三の実施形態＞
以下、本発明の第三の実施形態による認証システムを図１３を参照して説明する。
図１３は、本発明の第三の実施形態による認証システムの一例を示す図である。
図１３で示すように、本実施形態による認証システムは、装着体１０Ｃ、情報処理装置２０Ｃを含む。装着体１０Ｃと情報処理装置２０Ｃとは、通信可能に接続されている。第三の実施形態による認証システムの機能部は、第一の実施形態と同じ場合には同じ符号を付して説明する。図１３において、装着体１０Ｃは、記憶部１１と、通信部１２と、バッテリ部１３と、充電部１４と、制御部１５と、位置検出部３１と、撮像部３２と、を備えている。
【００６１】
情報処理装置２０Ｃは、表示制御部２１と、表示部２２と、通信部２３と、記憶部２４と、装着検出部３３と、装着位置判定部３４と、認証部３５と、を備えている。情報処理装置２０Ｃは、例えば、スマートフォンやタブレット端末などの電子端末である。第三の実施形態では、情報処理装置２０Ｃが、装着体１０Ｃから認証処理に用いる画像や位置判定に用いる装着位置に関する情報を受信する。情報処理装置２０Ｃは、受信した情報を用いて、装着体１０Ｃの装着位置の判定や、ユーザが真のユーザかどうか認証するための処理を行う。また、第三の実施形態では、情報処理装置２０Ｃの記憶部２４が、ユーザの生体情報を含んだ暗号化された画像や認証処理に必要な各種情報を記憶している。
【００６２】
第三実施形態の動作について説明する。ユーザが、装着体１０Ｃを装着すると、位置検出部３１が、装着位置に関する情報を検出し、通信部１２を介して装着位置に関する情報を情報処理装置２０Ｃに送信する。情報処理装置２０Ｃでは、通信部２３が装着位置に関する情報を受信し、装着検出部３３に出力する。装着検出部３３は、ユーザによる装着体１０Ｃの装着動作の開始を検出する。装着検出部３３が装着動作の開始を検出すると、通信部２３は、装着体１０Ｃから受信した装着位置に関する情報を装着位置判定部３４に出力する。装着位置判定部３４は、位置検出部３１が検出した装着位置に関する情報に基づいて、装着体１０Ｃの装着位置が認証を行う位置かどうかを判定する。装着位置が認証を行う位置では無いと判定すると、装着位置判定部３４は、装着位置の判定結果を表示制御部２１へ出力する。表示制御部２１は、装着位置の調整を促す画像を生成し、その画像を表示部２２に表示させる。装着位置が認証を行う位置であると判定すると、装着位置判定部３４は、通信部２３を介して、認証位置が正しいことを装着体１０Ｃに通知する。装着体１０Ｃでは、この通知を受信し、撮像部３２が静脈パターンを含む画像の撮像を行う。通信部１２は、撮像部３２が撮像した画像を情報処理装置２０Ｃに送信する。情報処理装置２０Ｃでは、通信部２３が画像を取得し、認証部３５に出力する。認証部３５は、認証処理を行う。認証部３５は、認証処理の結果を表示制御部２１へ出力する。表示制御部２１は、認証結果を表示部２２に表示させる。
【００６３】
本実施形態によれば、装着体１０Ｃに搭載する機能を低減し、装着体１０Ｃにおける処理負荷を低減することができる。また、装着位置の判定や認証処理など、負荷の高い処理を情報処理装置２０Ｃで行うことができるので、例えば、処理負荷の高い上述の認証方法２や認証方法３の実装にも適している。
【００６４】
第三の実施形態を、第一の実施形態や第二の実施形態と組み合わせることも可能である。例えば、第一の実施形態のリング１０Ａと第三の実施形態の情報処理装置２０Ｃを組み合わせた場合を例に説明を行う。まず、リング１０Ａにて認証方法１で認証処理を行う。所定の回数リトライを行っても認証に失敗した場合は、撮像部３２が撮像した画像を情報処理装置２０Ｃへ送信し、情報処理装置２０Ｃにおいて、認証方法２や認証方法３のようなリング１０Ａを装着する指の所定の位置において複数の方向から検出した静脈パターンを含む画像のそれぞれと、リング１０Ａを装着した位置において撮像部３２が撮像した画像を照合して、認証処理を行う。
【００６５】
＜第四の実施形態＞
以下、本発明の第四の実施形態による認証システムを図１４〜図１５を参照して説明する。
第四の実施形態に係る認証システムの構成は、第二の実施形態または第三の実施形態と同様の構成である。以下、第二の実施形態の構成を用いて説明を行う。また、具体的な構成例として、装着体１０Ｂは、図３と同様の構成を有しているものとする。
第四の実施形態に係る認証システムは、ユーザが装着体１０Ｂを装着するにあたり位置合わせを行う負担を軽減する。装着体１０Ｂがリング型ウェアラブル端末である場合、この第四の実施形態によれば、ユーザは、装着体１０Ｂの横方向の位置だけを合わせることによって認証を行うことができるようになる。まず、本実施形態の認証用画像の登録方法について説明する。
【００６６】
図１４は、本発明の第四の実施形態における認証用画像の登録方法の一例を示すフローチャートである。
まず、ユーザが表示部２２に対して所定の操作を行って認証用画像の登録の指示を受け付ける画面を表示部２２に表示させる。また、ユーザは、装着体１０Ｂを普段身に着ける位置に装着する。次にユーザが表示部２２に対して認証用画像の登録の開始を指示する操作を行う。すると、表示部２２は、認証用画像の登録の開始を指示する操作を受け付けて通信部２３を介して、装着体１０Ｂに認証用画像の登録を指示する信号を送信する。また、表示部２２は、ユーザに装着体１０Ｂの回転を促す表示を行う。装着体１０Ｂでは、通信部１２が認証用画像の登録指示信号を受信する（ステップＳ３１）。通信部１２は、登録指示信号を撮像部３２に出力する。次に撮像部３２は、認証用画像の撮像を実行する（ステップＳ３２）。具体的には、認証用画像とは、ユーザが装着体１０Ｂを装着した位置での静脈パターンを含んだ画像である。また、ユーザは、撮像部３２が認証用画像の撮像を実行する間、装着体１０Ｂを指の周方向に回転させる。次に、装着位置判定部３４が、撮像部３２が装着体１０Ｂの装着位置において全周方向から撮像したか否かを判定する（ステップＳ３３）。例えば、装着位置判定部３４は、加速度センサ３１０の検出値に基づいて装着体１０Ｂが１回転したかどうかを判定する。全周方向から撮像した画像とは３６０度の全周方向から撮像された画像に限られず、例えば１０度ごとに回転させた複数の角度から撮像された画像であってもよい。全周方向から画像の撮像を完了していない場合（ステップＳ３３：Ｎｏ）、装着位置判定部３４は、通信部１２を介して表示装置２０Ｂに、全周方向から撮像していないことを通知する。表示装置２０Ｂでは、表示制御部２１がその通知に基づいて、装着体１０Ｂを指の周方向に回転させるよう促すメッセージを表示部２２に表示する（ステップＳ３４）。次に、装着位置判定部３４は、加速度センサ３１０の出力に基づいて、装着体１０Ｂの回転方向の位置が認証用画像の撮像が完了していない位置にあるか否かを判定する（ステップＳ３５）。装着体１０Ｂの回転位置が画像の撮像が完了していない位置にない場合（ステップＳ３５：Ｎｏ）、処理がステップＳ３４に戻り、再度回転を促す。他方、装着体１０Ｂの回転位置が画像の撮像が完了していない位置にある場合（ステップＳ３５：Ｙｅｓ）、ステップＳ３２からの処理を繰り返す。具体的には、装着位置判定部３４は、撮像部３２に撮像を指示する。撮像部３２は、認証用画像の撮像を実行する。
【００６７】
他方、ステップＳ３３において全周方向から認証用画像の撮像を完了したと判定した場合（ステップＳ３３：Ｙｅｓ）、装着位置判定部３４が、加速度センサ３１０の検出結果を用いて、装着検出部３３が装着動作の開始を検出してから装着体１０の装着位置に達するまでの移動距離を算出する（ステップＳ３６）。装着位置判定部３４は、算出した位置情報を記憶部３８に記録する。次に撮像部３２は、撮像した認証用画像を暗号化して、暗号化された画像を算出した移動距離と対応付けて記憶部３８に記録する（ステップＳ３７）。このとき、撮像部３２は、各方向から撮像した認証用画像各々を記録してもよい。別法として、撮像部３２は、各方向から撮像した認証用画像を再構成した３次元画像を記録してもよい。上記の説明では、認証用画像を全周方向から撮像する場合について説明を行ったが、本実施形態はこのような例に限定されない。例えば、回転角度１８０°の範囲（回転角度が０°から１８０°までの範囲）で指の腹側または指の甲側から撮像を行うように構成してもよい。これにより、装着体１０Ｂを装着した位置における指の全周方向から撮像した一列分の認証用画像を登録することができる。
【００６８】
次に図１５を参照して、装着体１０Ｂを静脈認証に適した位置に合わせる処理の流れを中心に第四の実施形態の認証処理の説明を行う。
図１５は、本発明の第四の実施形態における認証方法の一例を示すフローチャートである。
前提として、ユーザは、手の甲を上に向けた状態で、装着体１０Ｂの移動方向を水平に保って装着する。
まず、ユーザが装着体１０Ｂの指への装着を開始する。静電容量センサ３１１Ａ〜３１１Ｄの各々は、装着体１０Ｂの指への装着が開始されると、指までの距離を検出し、その距離情報を装着検出部３３へ出力する。装着検出部３３は、静電容量センサ３１１Ａ〜３１１Ｄから取得した距離情報に基づいて、装着体１０Ｂの指３への装着動作の開始を検出する（ステップＳ３１１）。例えば、装着検出部３３は、取得した距離情報の全てが所定の範囲の値となったときに、装着動作の開始を検出する。すると、装着検出部３３は、装着動作が開始されたことを示す信号を、装着位置判定部３４に出力する。装着動作が開始されたことを示す信号を取得すると、装着位置判定部３４は、加速度センサ３１０から加速度の情報を取得開始する。ユーザは、装着体１０Ｂを所定の装着位置まで移動させ、装着動作を一旦停止する。
【００６９】
装着体１０Ｂの移動が停止すると、装着位置判定部３４は、所定の時間間隔で取得した加速度の情報を用いて、水平方向の移動距離を算出する（ステップＳ３１２）。
次に、装着位置判定部３４は、装着体１０Ｂの装着位置は正しいかどうかを判定する（ステップＳ３１３）。装着位置判定部３４は、認証用画像の登録時に認証用画像と対応付けて記録した装着体１０Ｂの移動距離（判定基準値）を記憶部３８から読み出す。装着位置判定部３４は、読み出した移動距離とステップＳ３１２で算出した水平方向の移動距離と比較する。水平方向の移動距離が判定基準値と等しい場合、あるいは、等しいとみなせる範囲内にある場合、装着位置判定部３４は、装着体１０Ｂの装着位置は正しい（認証を行う位置である）と判定する。そうでない場合、装着位置判定部３４は、装着体１０Ｂの装着位置は正しくないと判定する。装着体１０Ｂの装着位置は正しくないと判定した場合（ステップＳ３１３：Ｎｏ）、装着位置判定部３４は、判定基準値と装着体１０Ｂの装着位置を示す値との差の情報を表示制御部３６に出力する。表示制御部３６は、表示部３７に装着位置を改善するための位置合わせ情報を表示する（ステップＳ３１４）。具体的には装着位置判定部３４は、算出した水平方向の移動距離の情報を、通信部１２を介して表示装置２０Ｂへ送信する。表示装置２０Ｂでは、表示制御部２１が、装着体１０Ｂの装着位置のずれを示す画像（位置合わせ情報）を生成し、その画像を表示部２２へ表示させる。ユーザは、この位置合わせ情報を参照して装着体１０Ｂの位置を調整する。装着位置判定部３４は、位置調整後の装着体１０Ｂの装着位置が認証に適した正しい位置であるかどうかを判定するステップＳ３１３からの処理を繰り返す。
【００７０】
一方、装着位置は正しいと判定した場合（ステップＳ３１３：Ｙｅｓ）、装着位置判定部３４は、認証処理を指示する信号を認証部３５に出力する。次に、認証部３５は、認証処理を実行する（ステップＳ３１５）。認証部３５は、撮像部３２（光源３２０、ＴＦＴセンサ３２１）に撮像を指示する。認証部３５は、撮像部３２が撮像した認証用画像を取得する。認証部３５は、記憶部３８から真のユーザの静脈パターンを全周方向から撮像することにより得た複数の認証用画像を読み出して、それぞれの認証用画像と今回撮像部３２が撮像した画像との照合を行う。認証用画像のうち何れかの画像と今回撮像した画像の類似度が所定の閾値よりも高い場合、認証部３５は、認証は成功したと判定する。認証が成功した場合（ステップＳ３１６：Ｙｅｓ）、処理フローは終了する。認証部３５は、認証結果を制御部１５へ出力する。制御部１５は、認証結果に基づいて記憶部１１が記憶する個人情報を利用した各種サービスに用いる機能を動作可能に設定する。ユーザは、装着体１０Ｂを用いた決済サービス等を利用することができる。
【００７１】
認証が失敗した場合（ステップＳ３１６：Ｎｏ）、認証部３５は、認証失敗を示す情報を、通信部１２を介して表示装置２０Ｂへ送信する。表示装置２０Ｂでは、表示制御部２１が、「認証に失敗しました。リトライします。」等のエラーメッセージを表示部２２に表示する（ステップＳ３１７）。次に、認証部３５は、認証処理のリトライを行うか否かを判定する。例えば、認証部３５は、予め定められたリトライ回数を記憶部３８から読み出して、読み出したリトライ回数と今回ユーザが装着体１０Ｂを装着してから認証処理を行った回数とを比較する。認証処理を行った回数が所定のリトライ回数以上であれば、認証部３５は、これ以上リトライしないと判定し（ステップＳ３１８：Ｎｏ）、処理フローは終了する。認証部３５は、認証結果を制御部１５へ出力する。制御部１５は、認証結果に基づいて、記憶部１１が記憶する個人情報を利用した各種サービスに用いる機能が動作しないよう制御を行う。ユーザは、装着体１０Ｂを利用した決済サービス等を利用することができなくなる。また、認証部３５は、認証結果を、通信部１２を介して表示装置２０Ｂへ送信する。表示装置２０Ｂでは、表示制御部２１が、「認証に失敗しました。」等のエラーメッセージを表示部２２に表示する。
【００７２】
認証処理を行った回数が所定のリトライ回数以内であれば、認証部３５はリトライすると判定し（ステップＳ３１８：Ｙｅｓ）、認証部３５は、リトライを装着位置判定部３４に指示する。装着位置判定部３４は、ステップＳ３１３からの処理を繰り返す。
【００７３】
このように、第四の実施形態によれば、撮像部３２は、ユーザが装着体１０を装着する位置における全周方向に対応する認証用画像を記憶する。これにより、認証部３５は、装着体１０の回転方向の位置合わせを行うことなく、静脈認証を実施することができる。例えば、本実施形態によれば、装着体１０Ｂの回転方向の位置を合わせる必要ないので装着体１０Ｂに回転方向を合わせる目印を設ける必要が無い。
【００７４】
＜第五の実施形態＞
以下、本発明の第五の実施形態による認証システムを図１６〜図１７を参照して説明する。
第五の実施形態に係る認証システムの構成は、第二の実施形態または第三の実施形態と同様の構成である。以下、第二の実施形態の構成を用いて説明を行う。また、具体的な構成例として、装着体１０Ｂは、図３と同様の構成を有している。
第五の実施形態に係る認証システムは、ユーザが装着体１０Ｂを装着するにあたり位置合わせを行う負担を軽減した実施形態である。装着体１０Ｂがリング型ウェアラブル端末である場合、この第五の実施形態によれば、ユーザは、装着体１０Ｂの回転方向の位置だけを合わせることによって認証を行うことができるようになる。まず、本実施形態の認証用画像の登録方法について説明する。
【００７５】
図１６は、本発明の第五の実施形態における認証用画像の登録方法の一例を示すフローチャートである。
まず、ユーザが表示部２２に対して所定の操作を行って認証用画像の登録の指示を受け付ける画面を表示部２２に表示させる。また、ユーザは、装着体１０Ｂを普段身に着ける位置より指先側に装着する。次にユーザが表示部（受付部）２２に対して認証用画像の登録の開始を指示する操作を行う。すると、表示部２２は、その認証用画像の登録の開始を指示する操作を受け付けて通信部２３を介して、装着体１０Ｂに認証用画像の登録を指示する信号を送信する。また、表示部２２は、ユーザに装着体１０Ｂを本来の装着位置の方向への移動を促す表示を行う。装着体１０Ｂでは、通信部１２が認証用画像の登録指示信号を受信する（ステップＳ４１）。通信部１２は、登録指示信号を撮像部３２に出力する。次に撮像部３２は、認証用画像の撮像を実行する（ステップＳ４２）。具体的には、認証用画像とは、ユーザが装着体１０Ｂを装着した位置での静脈パターンを含んだ画像である。また、ユーザは、撮像部３２が認証用画像の撮像を実行する間、装着体１０Ｂを指の付け根の方向にゆっくりと移動させる。次に、装着位置判定部３４は、撮像部３２が装着体１０Ｂの装着位置において所定の範囲を撮像したか否かを判定する（ステップＳ４３）。例えば、装着位置判定部３４は、加速度センサ３１０の検出結果を用いて認証用画像の撮像を開始したときの装着体１０Ｂの装着位置から現在の装着体１０Ｂの装着位置までの距離を算出する。そして、装着位置判定部３４は、算出した距離と記憶部３８に記録された所定の範囲を示す値（例えば１．５ｃｍ）とを比較する。所定の範囲の撮像を完了していない場合（ステップＳ４３：Ｎｏ）、装着位置判定部３４は、通信部１２を介して表示装置２０Ｂに、所定の範囲を撮像していないことを通知する。表示装置２０Ｂでは、表示制御部２１がその通知に基づいて、装着体１０Ｂを指の付け根の方向に移動させるよう促すメッセージを表示部２２に表示する（ステップＳ４４）。次に、装着位置判定部３４は、加速度センサ３１０の検出値に基づいて、装着体１０Ｂの横方向の位置が認証用画像の撮像が完了していない位置にあるか否かを判定する（ステップＳ４５）。装着体１０Ｂの横方向の位置が認証用画像の撮像が完了していない位置にない場合（ステップＳ４５：Ｎｏ）、処理がステップＳ４４に戻り、装着位置判定部３４は再度移動を促す。他方、装着体１０Ｂの横方向の位置が画像の撮像が完了していない位置にある場合（ステップＳ４５：Ｙｅｓ）、ステップＳ４２からの処理を繰り返す。具体的には、装着位置判定部３４は、撮像部３２に撮像を指示する。撮像部３２は、認証用画像の撮像を実行する。
【００７６】
他方、ステップＳ４３において所定の範囲の撮像を完了したと判定した場合（ステップＳ４３：Ｙｅｓ）、装着位置判定部３４は静電容量センサ３１１Ａ〜３１１Ｄが検出した指との距離を取得する。また、装着位置判定部３４は、加速度センサ３１０の検出結果の座標情報を取得する。装着位置判定部３４は、これらの回転方向の位置情報を記憶部３８に記録する。次に撮像部３２は、撮像した認証用画像を暗号化して、暗号化された認証用画像と先に記録した回転方向の位置情報と対応付けて記憶部３８に記録する（ステップＳ４７）。これにより、ある１方向から撮像した装着体１０Ｂの挿入方向の一列分の認証用画像を登録することができる。
【００７７】
次に図１７を参照して、装着体１０Ｂを静脈認証に適した位置に合わせる処理の流れを中心に第五の実施形態の認証処理の説明を行う。
図１７は、本発明の第五の実施形態における認証方法の一例を示すフローチャートである。
前提として、ユーザは、手の甲を上に向けた状態で、装着体１０Ｂの移動方向を水平に保って装着する。また、装着体１０Ｂには、目印が付されていて、例えばその目印を上に向けた状態で、ユーザが装着体１０Ｂを装着する。
まず、ユーザが装着体１０Ｂの指への装着を開始する。静電容量センサ３１１Ａ〜３１１Ｄの各々は、装着体１０Ｂの指への装着が開始されると、指までの距離を検出し、その距離情報を装着検出部３３へ出力する。装着検出部３３は、静電容量センサ３１１Ａ〜３１１Ｄから取得した距離情報に基づいて、装着体１０Ｂの指への装着動作の開始を検出する（ステップＳ４１１）。例えば、装着検出部３３は、取得した距離情報が全て所定の範囲の値となったときに、装着動作の開始を検出する。すると、装着検出部３３は、装着動作が開始されたことを示す信号を、装着位置判定部３４に出力する。装着動作が開始されたことを示す信号を取得すると、装着位置判定部３４は、加速度センサ３１０から加速度の情報を取得開始する。ユーザは、装着体１０Ｂを装着位置まで移動させ、装着動作を一旦停止する。
【００７８】
装着体１０Ｂの移動が停止すると、装着位置判定部３４は、回転方向の位置情報を取得する（ステップＳ４１２）。例えば、静電容量センサ３１１Ａ〜３１１Ｄが検出した指３までの距離を取得する。また、装着位置判定部３４は、加速度センサ３１０の検出結果の座標情報を取得する。
次に、装着位置判定部３４は、装着体１０Ｂの装着位置は正しいかどうかを判定する（ステップＳ４１３）。装着位置判定部３４は、認証用画像の登録時に認証用画像と対応付けて記録した装着体１０Ｂの回転方向の位置情報（判定基準値）を記憶部３８から読み出す。装着位置判定部３４は、読み出した判定基準値とステップＳ４１２で取得した回転方向の位置情報とを比較する。例えば、装着位置判定部３４は、記憶部３８から各静電容量センサ３１１Ａ〜３１１Ｄと指３との距離の判定基準値を読み出し、読み出した判定基準値とステップＳ４１２で各静電容量センサ３１１Ａ〜３１１Ｄから取得した距離の情報とを比較する。水平方向の移動距離および各静電容量センサ３１１Ａ〜３１１Ｄと指との距離の全てがそれぞれについて設定されている判定基準値と等しい場合、あるいは、等しいとみなせる範囲内にある場合、装着位置判定部３４は、装着体１０Ｂの装着位置が正しいと判定する。そうでない場合、装着位置判定部３４は、装着体１０Ｂの装着位置が正しくないと判定する。装着体１０Ｂの装着位置が正しくないと判定した場合（ステップＳ４１３：Ｎｏ）、装着位置判定部３４は、判定基準値と装着体１０Ｂの装着位置を示す値との差の情報を表示制御部３６に出力する。表示制御部３６は、表示部３７に装着位置を改善するための位置合わせ情報を表示する（ステップＳ４１４）。具体的には、装着位置判定部３４は、回転方向の位置情報を、通信部１２を介して表示装置２０Ｂへ送信する。表示装置２０Ｂでは、表示制御部２１が、装着体１０Ｂの装着位置のずれを示す画像（位置合わせ情報）を生成し、その画像を表示部２２へ表示させる。ユーザは、この表示を参考に装着体１０Ｂの装着位置を調整する。装着位置判定部３４は、位置調整後の装着体１０Ｂの装着位置が認証に適した正しい位置であるかどうかを判定するステップＳ４１３からの処理を繰り返す。
【００７９】
一方、装着位置が正しいと判定した場合（ステップＳ４１３：Ｙｅｓ）、装着位置判定部３４は、認証処理を指示する信号を認証部３５に出力する。次に、認証部３５は、認証処理を実行する（ステップＳ４１５）。認証部３５は、撮像部３２（光源３２０、ＴＦＴセンサ３２１）に撮像を指示する。認証部３５は、撮像部３２が撮像した認証用画像を取得する。認証部３５は、記憶部３８から真のユーザの所定の範囲にわたって撮像することにより得られた静脈パターンを含む挿入方向の一列分の認証用画像のそれぞれを読み出す。認証部３５は、それぞれの認証用画像と今回撮像部３２が撮像した画像との照合を行う。認証用画像のうち何れかの画像と今回撮像した画像の類似度が所定の閾値よりも高い場合、認証部３５は、認証は成功したと判定する。認証が成功した場合（ステップＳ４１６：Ｙｅｓ）、処理フローは終了する。認証部３５は、認証結果を制御部１５へ出力する。制御部１５は、認証結果に基づいて記憶部１１が記憶する個人情報を利用した各種サービスに用いる機能を動作可能に設定する。ユーザは、装着体１０Ｂを用いた決済サービス等を利用することができる。
【００８０】
認証が失敗した場合（ステップＳ４１６：Ｎｏ）、認証部３５は、認証失敗を示す情報を、通信部１２を介して表示装置２０Ｂへ送信する。表示装置２０Ｂでは、表示制御部２１が、「認証に失敗しました。リトライします。」等のエラーメッセージを表示部２２に表示する（ステップＳ４１７）。次に、認証部３５は、認証処理のリトライを行うか否かを判定する。例えば、認証部３５は、予め定められたリトライ回数を記憶部３８から読み出して、読み出したリトライ回数と今回ユーザが装着体１０Ｂを装着してから認証処理を行った回数とを比較する。認証処理を行った回数が所定のリトライ回数以上であれば、認証部３５は、これ以上リトライしないと判定し（ステップＳ４１８：Ｎｏ）、処理フローは終了する。認証部３５は、認証結果を制御部１５へ出力する。制御部１５は、認証結果に基づいて、記憶部１１が記憶する個人情報を利用した各種サービスに用いる機能が動作しないよう制御を行う。ユーザは、装着体１０Ｂを利用した決済サービス等を利用することができなくなる。また、認証部３５は、認証結果を、通信部１２を介して表示装置２０Ｂへ送信する。表示装置２０Ｂでは、表示制御部２１が、「認証に失敗しました。」等のエラーメッセージを表示部２２に表示する。
【００８１】
認証処理を行った回数が所定のリトライ回数以内であれば、認証部３５は、リトライすると判定し（ステップＳ４１８：Ｙｅｓ）、リトライを装着位置判定部３４に指示する。装着位置判定部３４は、ステップＳ４１３からの処理を繰り返す。
【００８２】
このように、第五の実施形態によれば、撮像部３２は、ユーザが装着体１０を装着する位置における全周方向に対応する認証用画像を記憶する。これにより、認証部３５は、装着体１０の回転方向の位置合わせを行うことなく、静脈認証を実施することができる。
【００８３】
＜第六の実施形態＞
以下、本発明の第六の実施形態による認証システムを図１８〜図２０を参照して説明する。
図１８は、本発明の第六の実施形態による認証システムの一例を示す図である。
図１８で示すように本実施形態による認証システムは、装着体１０Ｆ、表示装置２０Ｆを含む。装着体１０Ｆと表示装置２０Ｆとは互いに、通信可能に接続されている。
図１８に示す例において、装着体１０Ｆは、記憶部１１と、通信部１２と、バッテリ部１３と、充電部１４と、制御部１５と、認証装置３０Ｆとを含む。認証装置３０Ｆは、撮像部３２と、認証部３５と、記憶部３８と、を備えている。第六の実施形態による認証システムの機能部は、第一の実施形態と同じ場合には同じ符号を付して説明する。装着体１０Ｆは、例えばリング型のウェアラブル端末である。第六の実施形態の認証装置３０Ｆは、第一〜五の実施形態と異なり、装着位置の検出に用いるセンサ等を備えない構成を有している。
【００８４】
表示装置２０Ｆは、表示制御部２１と、表示部２２と、通信部２３と、記憶部２４とを備えている。表示制御部２１は、通信部２３が受信した情報に基づいて、ユーザに提示する情報を、表示部２２に表示させる。表示部２２は、タッチパネルなどの入力機能を備えた部材と一体的に組み合わされたディスプレイである。通信部２３は、装着体１０Ｆとの通信を行う。記憶部２４は、種々の情報を記憶する。表示装置２０Ｆは、例えば、スマートフォンやタブレット端末などの電子端末である。表示装置２０Ｆは、装着体１０Ｆにおける認証結果や位置判定結果を表示する。ユーザは、表示装置２０Ｆが表示する情報を参考にして装着体１０Ｆの装着位置の調整を行うことができる。
【００８５】
図１９は、本発明の第六の実施形態における認証用画像の登録方法の一例を示すフローチャートである。
まず、ユーザが表示部２２に対して所定の操作を行って認証用画像の登録の指示を受け付ける画面を表示部２２に表示させる。また、ユーザは、装着体１０Ｆを普段身に着ける位置より指先側に装着する。次にユーザが表示部２２に対して認証用画像の登録の開始を指示する操作を行う。すると、表示部２２は、その認証用画像の登録の開始を指示する操作を受け付けて通信部２３を介して、装着体１０Ｆに認証用画像の登録を指示する信号を送信する。また、表示部２２は、ユーザに装着体１０Ｆの回転を促す表示を行う。装着体１０Ｆでは、通信部１２が認証用画像の登録指示信号を受信する（ステップＳ５１）。通信部１２は、登録指示信号を撮像部３２に出力する。次に撮像部３２は、認証用画像の撮像を実行する（ステップＳ５２）。認証用画像とは、ユーザが装着体１０Ｆを装着した位置での静脈パターンを含んだ画像である。また、ユーザは、撮像部３２が認証用画像の撮像を実行する間、装着体１０Ｆを指の周方向に回転させる。次に、撮像部３２は、装着体１０Ｆの装着位置において全周方向から撮像したか否かを判定する（ステップＳ５３）。例えば、撮像部３２は、撮像の開始直後に撮像した画像と同一とみなせる類似度を持つ画像を撮像すると全周方向から撮像したと判定する。全周方向から撮像した画像とは３６０度の全周方向から撮像された画像に限られず、例えば１０度ごとに回転させた複数の角度から撮像された画像であってもよい。全周方向から画像の撮像を完了していない場合（ステップＳ５３：Ｎｏ）、撮像部３２は、通信部１２を介して表示装置２０Ｆに、全周方向から撮像していないことを通知する。表示装置２０Ｆでは、表示制御部２１がその通知に基づいて、装着体１０Ｆを指の周方向に回転させるよう促すメッセージを表示部２２に表示する（ステップＳ５４）。そして、ステップＳ５２からの処理を繰り返す。
【００８６】
他方、ステップＳ５３において全周方向から認証用画像の撮像を完了した場合（ステップＳ５３：Ｙｅｓ）、撮像部３２は、通信部１２を介して表示装置２０Ｆに、全周方向から撮像が完了したことを通知する。表示装置２０Ｆでは、表示制御部２１がその通知に基づいて、次の動作の選択肢を表示部２２に表示する（ステップＳ５６）。具体的には、表示部２２は認証用画像の登録処理の継続または終了を選択する促す表示を行う。表示部２２がユーザから登録処理の継続を選択する動作を受け付けた場合（ステップＳ５７：Ｎｏ）、表示制御部２１は、装着体１０Ｆを横方向（指の付け根の方向）に移動させるよう促すメッセージを表示部２２に表示する（ステップＳ５７１）。また、表示制御部２１は、撮像の再開指示の入力操作を受け付ける画像を表示部２２に併せて表示する。ユーザは、この表示を見て装着体１０Ｆを指の付け根の方向に移動させる。次にユーザは、装着体１０Ｆを横方向に移動させると撮像の再開を指示する入力操作を行う。表示部２２は、撮像の再開を指示する入力操作を受け付けて、通信部２３を介して装着体１０Ｆへ撮像の再開指示信号を送信する（ステップＳ５７２）。装着体１０Ｆでは、通信部１２が再開指示信号を受信し、その信号を撮像部３２へ出力する。認証システムは、ステップＳ５２からの処理を繰り返す。
【００８７】
表示部２２が登録処理の終了を指示する入力操作を受け付けた場合、すなわち、表示部２２がユーザから登録処理の終了を選択する動作を受け付けた場合（ステップＳ５７：Ｙｅｓ）、表示部２２は、通信部２３を介して装着体１０Ｆへ撮像の終了指示信号を送信する（ステップＳ５８）。装着体１０Ｆでは、通信部１２が終了指示信号を受信し、その信号を撮像部３２へ出力する。撮像部３２は、撮像した認証用画像を暗号化して記憶部３８に記録する（ステップＳ５９）。このとき、撮像部３２は、各方向から撮像することにより得られた認証用画像各々を記録してもよい。別法として、撮像部３２は、各方向から撮像した認証用画像を再構成することにより得られた３次元画像を記録してもよい。
上記の説明では、撮像部３２が認証用画像を全周方向から撮像する場合について説明を行ったが、本実施形態はこのような場合に限定されない。例えば、撮像部３２が回転角度１８０°の範囲で指の腹側または指の甲側から撮像を行ってもよい。
これにより、撮像部３２は、ユーザが装着体１０を装着し得る範囲に係る認証用画像を記憶する。
【００８８】
次に図２０を参照して、第六の実施形態の認証処理の説明を行う。
図２０は、本発明の第六の実施形態における認証方法の一例を示すフローチャートである。
まず、ユーザが装着体１０Ｆの指への装着を行う。また、ユーザが表示部２２に対して所定の操作を行って認証処理の開始指示を受け付ける画面を表示部２２に表示させる。次にユーザが表示部２２に対して認証処理の開始を指示する操作を行う。すると、表示部２２は、その認証処理の開始を指示する操作を受け付けて通信部２３を介して、装着体１０Ｆに認証処理の開始を指示する信号を送信する。装着体１０Ｆでは、通信部１２が認証処理の開始を指示する信号を受信する。通信部１２は、受信した信号を認証部３５に出力する。次に、認証部３５は、認証処理を実行する（ステップＳ５１２）。認証部３５は、撮像部３２（光源３２０、ＴＦＴセンサ３２１）に撮像を指示する。認証部３５は、撮像部３２が撮像した認証用画像を取得する。認証部３５は、記憶部３８から、ユーザが装着体１０を装着し得る範囲に係る認証用画像を読み出して、それぞれの認証用画像と今回撮像部３２が撮像した画像との照合を行う。認証用画像のうち何れかの画像と今回撮像した画像の類似度が所定の閾値よりも高い場合、認証部３５は、認証は成功したと判定する。認証が成功した場合（ステップＳ５１３：Ｙｅｓ）、処理フローは終了する。認証部３５は、認証結果を制御部１５へ出力する。制御部１５は、認証結果に基づいて記憶部１１が記憶する個人情報を利用した各種サービスに用いる機能を動作可能に設定する。ユーザは、装着体１０Ｆを用いた決済サービス等を利用することができる。
【００８９】
認証が失敗した場合（ステップＳ５１３：Ｎｏ）、認証部３５は、認証失敗を示す情報を、通信部１２を介して表示装置２０Ｆへ送信する。表示装置２０Ｆでは、表示制御部２１が、「認証に失敗しました。リトライします。」等のエラーメッセージを表示部２２に表示する（ステップＳ５１４）。次に、認証部３５は、認証処理のリトライを行うか否かを判定する。例えば、認証部３５は、予め定められたリトライ回数を記憶部３８から読み出して、読み出したリトライ回数と今回ユーザが装着体１０Ｆを装着してから認証処理を行った回数とを比較する。認証処理を行った回数が所定のリトライ回数以上であれば、認証部３５は、これ以上リトライしないと判定し（ステップＳ５１５：Ｎｏ）、処理フローは終了する。認証部３５は、認証結果を制御部１５へ出力する。制御部１５は、認証結果に基づいて、記憶部１１が記憶する個人情報を利用した各種サービスに用いる機能が動作しないよう制御を行う。ユーザは、装着体１０Ｆを利用した決済サービス等を利用することができなくなる。また、認証部３５は、認証結果を、通信部１２を介して表示装置２０Ｆへ送信する。表示装置２０Ｆでは、表示制御部２１が、「認証に失敗しました。」等のエラーメッセージを表示部２２に表示する。
認証処理を行った回数が所定のリトライ回数以内であれば、認証部３５は、リトライすると判定し（ステップＳ５１５：Ｙｅｓ）、ステップＳ５１２からの処理を繰り返す。
【００９０】
このように、第六の実施形態によれば、認証部３５は、装着体１０Ｆの位置合わせを行うことなく、認証を実施することができる。
【００９１】
＜第七の実施形態＞
以下、本発明の第七の実施形態による認証システムを図２１〜図２４を参照して説明する。
図２１は、本発明の第七の実施形態による装着体の一例を示す図である。
図２１は、コンタクトレンズ型ウェアラブル端末である装着体１０Ｄ（以下、コンタクトレンズ１０Ｄと呼ぶ）を示している。コンタクトレンズ１０Ｄは、認証装置３０Ｄ、健康状態判定装置５０Ｄを備えている。ユーザが、コンタクトレンズ１０Ｄを装着すると、健康状態判定装置５０Ｄは、ユーザの涙の成分を検出し、ユーザの健康状態や病の状態を判定する。健康状態判定装置５０Ｄは、通信部を備えており、判定の結果をユーザの健康状態や病の状態を記録する情報処理装置（図示せず）に送信し、情報処理装置が判定結果を受信し記憶部に記録する。ユーザは、この情報処理装置が記憶する判定結果の記録から、健康状態や病の状態の変化を把握し、健康管理に役立てることができる。この場合、真のユーザ以外の者が、コンタクトレンズ１０Ｄを装着してしまうと、情報処理装置の記録に他人の健康状態を示す情報が混ざってしまう可能性がある。そこで、認証装置３０Ｄは、コンタクトレンズ１０Ｄを装着したのが真のユーザかどうかを、虹彩認証によって判定する。
認証装置３０Ｄは、第一の実施形態の場合と同様に、位置検出部３１と、撮像部３２と、装着検出部３３と、装着位置判定部３４と、認証部３５と、表示制御部３６と、表示部３７と、記憶部３８と、を備えている。撮像部３２は光源を備えている。コンタクトレンズ１０Ｄの表面には、目印図形が所定の位置に形成されている。その目印図形は光源からの光が当たることで発光する。目印図形は、例えば、蛍光塗料、導光板、ＬＣＤ（liquid crystal display）、ＬＥＤなどにより形成される。目印図形が導光板で形成される場合、目印図形の少なくとも一部に光源からの光を当てることで、目印図形全体を発光させることができる。目印図形がＬＥＤで形成される場合、光源からの光を当てなくても、目印図形を発光させることができる。
【００９２】
第七の実施形態の動作について説明する。図２２は、本発明の第七の実施形態における認証方法の一例を示すフローチャートである。ユーザが、コンタクトレンズ１０Ｄを眼に装着すると、位置検出部３１は、健康状態判定装置５０Ｄからコンタクトレンズ１０Ｄを装着したことを検出する信号を受信することにより、コンタクトレンズ１０Ｄの装着動作の開始を検出する（ステップＳ６１）。健康状態判定装置５０Ｄは、例えば、ユーザの操作（例えば、図示しない装着開始ボタンの押下）により情報処理装置から装着動作の開始を示す信号を受信することにより、装着動作の開始を検出することができる。位置検出部３１は、装着動作の開始を検出すると、撮像部３２が備える光源を所定の時間（例えば、数秒）だけ点灯させる（ステップＳ６２）。これにより、コンタクトレンズ１０Ｄの表面に塗布された目印図形が発光し、ユーザは発光した位置を目視により目印図形を確認することができるようになる。ユーザは、この発光した位置を目印にして、コンタクトレンズ１０Ｄの位置合わせを行う。位置合わせが完了すると、情報処理装置は、ユーザの操作（例えば、図示しない装着完了ボタンの押下）により、装着動作の完了を示す信号を健康状態判定装置５０Ｄに送信する。これにより健康状態判定装置５０Ｄは、装着動作の完了を検出することができる。装着位置判定部３４は、健康状態判定装置５０Ｄからコンタクトレンズ１０Ｄの装着が完了したことを示す信号を受信することにより、コンタクトレンズ１０Ｄの装着動作の完了を検出する（ステップＳ６３）。装着位置判定部３４は、装着動作の完了を検出すると、撮像部３２に撮像を指示する（ステップＳ６４）。撮像部３２は、ユーザの眼の画像を撮像する。装着位置判定部３４は、この画像を用いて、コンタクトレンズ１０Ｄの装着位置の判定を行う（ステップＳ６５）。例えば、撮像した画像の全面に虹彩が写し出されている場合、装着位置判定部３４は、コンタクトレンズ１０Ｄは認証を行う位置に装着されていると判定する。例えば、画像に虹彩以外の箇所が写し出されている場合、装着位置判定部３４は、コンタクトレンズ１０Ｄの装着位置は認証を行う位置ではないと判定する。認証を行う位置ではないと判定した場合（ステップＳ６５：Ｎｏ）、装着位置判定部３４は、撮像部３２が備える光源を所定の時間だけ点灯させ、ユーザに位置合わせを促す（ステップＳ６６）。装着位置判定部３４が認証を行う位置であると判定するまで、この処理を繰り返す。
装着位置が認証を行う位置であると判定した場合（ステップＳ６５：Ｙｅｓ）、装着位置判定部３４は、認証部３５に認証処理の開始を指示する。認証部３５は、撮像部３２が撮像した画像と記憶部３８が予め記憶する真のユーザの虹彩画像とを照合し、虹彩認証を行う（ステップＳ６７）。認証部３５は、認証の結果を、健康状態判定装置５０Ｄへ出力する。健康状態判定装置５０Ｄは、認証に成功したか否かを判定する（ステップＳ６８）。健康状態判定装置５０Ｄは、認証に成功した場合（ステップＳ６８：Ｙｅｓ）、ユーザの健康状態の判定処理などを行う（ステップＳ６９）。認証に失敗した場合（ステップＳ６８：Ｎｏ）、健康状態判定装置５０Ｄは、認証失敗を上述の情報処理装置に通知する（ステップＳ７０）。情報処理装置は、認証失敗を表示部に表示し、ユーザは認証失敗を把握する。
【００９３】
図２３Ａ〜２３Ｃは、本発明の第七の実施形態による位置合わせの目印図形の一例を示す図である。
図２３Ａは、コンタクトレンズ１０Ｄの中心付近に十字型の目印図形を付した場合の例である。図２３Ｂは、コンタクトレンズ１０Ｄの中心付近に２等辺三角形の目印図形を付した場合の例である。図２３Ｃは、コンタクトレンズ１０Ｄを四分割した各領域に目印図形として数字を配した場合の例である。コンタクトレンズ１０Ｄの表面には、蛍光塗料、導光板、ＬＣＤ（liquid crystal display）、ＬＥＤなどにより、例示した形状、数字状の目印図形が形成される。目印図形が光源からの光を受けて発光することにより、ユーザが視認できるようになる。ユーザは、これらの目印図形を目印にしてコンタクトレンズ１０Ｄの位置合わせを行う。
【００９４】
図２４は、本発明の第七の実施形態による位置判定を説明する図である。
図２４は、ユーザがコンタクトレンズ１０Ｄを装着した状態の一例である。撮像部３２が、認証装置３０Ｄが配置された位置範囲に対応するユーザの眼の一部分の画像を撮像する場合について説明する。この場合、コンタクトレンズ１０Ｄが図２４で例示するような位置に装着されると、撮像部３２の撮像する画像には、虹彩以外の箇所が多く写り込むことになる。装着位置判定部３４は、このような位置関係で撮像された画像と、例えば予め登録された真のユーザの虹彩の認証用画像とを比較してすることより、撮影された画像には虹彩ではない箇所が含まれていることを検出する。装着位置判定部３４は、この検出結果に基づいて、コンタクトレンズ１０Ｄの位置は認証を行う位置では無いと判定する。
【００９５】
本実施形態によれば、認証装置３０Ｄは、コンタクトレンズ１０Ｄの装着位置が虹彩認証を行う位置に装着されているかどうかを判定することができる。また、認証装置３０Ｄは、コンタクトレンズ１０Ｄの装着位置を、ユーザの虹彩の位置（認証を行う位置）に合わせるよう促すことができる。これにより、認証装置３０Ｄは、コンタクトレンズ１０Ｄを装着したユーザが真のユーザかどうか虹彩認証により認証することができる。
【００９６】
＜第八の実施形態＞
以下、本発明の第八の実施形態による認証システムについて説明する。
第八の実施形態に係る認証システムの構成は、第七の実施形態と同様の構成である。
第八の実施形態に係る認証システムは、コンタクトレンズ１０Ｄの位置合わせを行うことなく、虹彩認証を実施する。具体的には、第八の実施形態に係る記憶部３８は、撮像部３２が撮像し得る範囲の画像（例えば、眼球の全周に亘る虹彩の画像）を記憶する。第八の実施形態に係る認証部３５は、撮像部３２が撮像した画像と、記憶部３８が記憶する画像の一部との類似度を計算することで、虹彩認証を行う。
【００９７】
図２５は、本発明の第七の実施形態における虹彩画像の登録方法の一例を示すフローチャートである。この方法では、初期設定時に瞳孔を中心とした周囲方向の範囲にわたって、眼球の全周囲方向から撮像することにより得られた認証用画像を記憶部３８に登録する。
ユーザが、コンタクトレンズ１０Ｄを装着すると、位置検出部３１は、健康状態判定装置５０Ｄからコンタクトレンズ１０Ｄを装着したことを検出する信号を受信することにより、コンタクトレンズ１０Ｄの装着動作の開始を検出する（ステップＳ１０１）。位置検出部３１は、装着動作の開始を検出すると、撮像部３２に撮像を指示する（ステップＳ１０２）。撮像部３２は、ユーザの眼の一部が写る画像を撮像する。次に、装着位置判定部３４は、撮像部３２がユーザの瞳孔を中心とした全周に係る画像の撮像を完了したか否かを判定する（ステップＳ１０３）。全周に係る画像とは３６０度の全周方向から撮像することにより得られた画像に限られず、例えば１０度ごとに回転させた複数の角度から撮像することにより得られた画像であってもよい。全周に係る画像の撮像を完了していない場合（ステップＳ１０３：Ｎｏ）、装着位置判定部３４は、撮像部３２が備える光源を所定の時間だけ点灯させ、ユーザにコンタクトレンズ１０Ｄの回転を促す（ステップＳ１０４）。次に、装着位置判定部３４は、図示しない加速度センサまたはジャイロセンサの出力に基づいて、コンタクトレンズ１０Ｄの回転位置が画像の撮像が完了していない位置にあるか否かを判定する（ステップＳ１０５）。コンタクトレンズ１０Ｄの回転位置が画像の撮像が完了していない位置にない場合（ステップＳ１０５：Ｎｏ）、ステップＳ１０４に戻り、装着位置判定部３４は再度回転を促す。他方、コンタクトレンズ１０Ｄの回転位置が画像の撮像が完了していない位置にある場合（ステップＳ１０５：Ｙｅｓ）、ステップＳ１０２に戻り、撮像部３２に撮像を指示する。
他方、ステップＳ１０３において全周に係る画像の撮像を完了した場合（ステップＳ１０３：Ｙｅｓ）、記憶部３８は、ステップＳ１０３で撮像された画像を合成して得られる認証用画像を記憶する（ステップＳ１０６）。
【００９８】
このように、第八の実施形態によれば、撮像部３２は、撮像し得る範囲に係る認証用画像を記憶する。これにより、認証部３５は、コンタクトレンズ１０Ｄの位置合わせを行うことなく、虹彩認証を実施することができる。
他の実施形態において、記憶部３８は、全周に係る画像合成せず、ステップＳ１０３で撮像された各画像をそのまま認証用画像として記憶しても良い。
【００９９】
＜第九の実施形態＞
以下、本発明の第九の実施形態による認証システムについて説明する。
第九の実施形態に係る認証システムの構成は、第八の実施形態と同様の構成である。
第九の実施形態に係る認証システムは、第八の実施形態と同様に、コンタクトレンズ１０Ｄの位置合わせを行うことなく、虹彩認証を実施する。具体的には、第九の実施形態に係る記憶部３８は、撮像部３２が撮像し得る範囲の画像（例えば、眼球の全周に亘る虹彩の画像）を記憶する。第八の実施形態に係る認証部３５は、撮像部３２が撮像した画像と、記憶部３８が記憶する画像の一部との類似度を計算することで、虹彩認証を行う。
【０１００】
図２６は、本発明の第九の実施形態における虹彩画像の登録方法の一例を示すフローチャートである。この方法では、情報処理装置によって撮像された認証用画像を記憶部３８に登録する。
ユーザは、情報処理装置を操作し、所定のアプリケーションプログラムを起動させる（ステップＳ１１１）。このときユーザは、コンタクトレンズ１０Ｄを装着している。次に、情報処理装置は、情報処理装置に備えられる撮像部によりユーザの眼が写る画像を撮像する（ステップＳ１１２）。次に、情報処理装置は、撮像した画像をコンタクトレンズ１０Ｄに送信する（ステップＳ１１３）。
コンタクトレンズ１０Ｄが情報処理装置から画像を受信すると、撮像部３２は、ユーザの眼の一部が写る画像を撮像する（ステップＳ１１４）。次に、認証部３５は、撮像部３２が撮像した画像と情報処理装置から受信した画像とを照合し、虹彩認証を行う（ステップＳ１１５）。認証部３５は、認証に成功したか否かを判定する（ステップＳ１１６）。撮像部３２が撮像した画像と情報処理装置から受信した画像との照合に成功するということは、情報処理装置から受信した画像を認証用画像として用いることができることを示す。他方、撮像部３２が撮像した画像と情報処理装置から受信した画像との照合に失敗するということは、情報処理装置から受信した画像を認証用画像として用いることができないことを示す。
認証部３５は、認証に失敗した場合（ステップＳ１１６：Ｎｏ）、認証失敗を上述の情報処理装置に通知する。これにより、情報処理装置は、再度の撮像指示を表示し（ステップＳ１１７）、ステップＳ１１２に戻り、再度ユーザの眼が写る画像を撮像する。
認証部３５は、認証に成功した場合（ステップＳ１１６：Ｙｅｓ）、情報処理装置から受信した認証用画像を記憶部３８に記録する（ステップＳ１１８）。
【０１０１】
このように、第九の実施形態によれば、撮像部３２は、撮像し得る範囲に係る認証用画像を記憶する。これにより、認証部３５は、コンタクトレンズ１０Ｄの位置合わせを行うことなく、虹彩認証を実施することができる。
本実施形態では、認証部３５による認証が成功したか否かの判定によって、情報処理装置が撮像した画像が認証用画像に相応しいか否かを判定するが、これに限られない。例えば、他の実施形態では、情報処理装置が撮像した画像のコントラストや空間周波数の判定等に基づいて、その画像が認証用画像に相応しいか否かを判定しても良い。
他の実施形態においては、情報処理装置による画像の撮像の際に、コンタクトレンズ１０Ｄが装着されていなくてもよい。この場合、コンタクトレンズ１０Ｄは、装着後に、ステップＳ１１４以降の処理を行い、情報処理装置が撮像した画像が認証用画像に相応しいか否かを判定する。
【０１０２】
＜第十の実施形態＞
以下、本発明の第十の実施形態による認証システムについて説明する。
図２７は、本発明の第十の実施形態による認証システムの一例を示す図である。
図２７で示すように、本実施形態による認証システムは、装着体１０Ｅ、情報処理装置２０Ｅを含む。装着体１０Ｅ（コンタクトレンズ１０Ｅ）は、第七の実施形態と同様に、記憶部１１と、通信部１２と、バッテリ部１３と、充電部１４と、制御部１５と、位置検出部３１と、撮像部３２と、を備えている。
情報処理装置２０Ｅは、第七の実施形態と同様に、表示制御部２１と、表示部２２と、通信部２３と、記憶部２４と、装着検出部３３と、装着位置判定部３４と、認証部３５と、を備えている。また、情報処理装置２０Ｅは、さらに撮像部４１および健康状態判定部４２を備える。撮像部４１は、情報処理装置２０Ｅの筐体の面のうち、表示部２２が設けられている面と同じ面に設けられ、表示部２２に対向するユーザの画像を撮像する。健康状態判定部４２は、第七の実施形態に係る健康状態判定装置５０Ｄと同様の処理を行う処理部である。
【０１０３】
第十の実施形態に係る認証システムは、情報処理装置１０Ｅによりコンタクトレンズ１０Ｅの位置合わせを補助する。第十の実施形態によるコンタクトレンズ１０Ｅは、目印図形を有しない。
【０１０４】
第十の実施形態の動作について説明する。図２８は、本発明の第十の実施形態における認証方法の一例を示すフローチャートである。ユーザが、コンタクトレンズ１０Ｅを装着すると、情報処理装置２０Ｅは、例えば、ユーザの操作（例えば、図示しない装着開始ボタンの押下）により、装着動作の開始を検出する（ステップＳ７１）。このとき、ユーザは、顔が表示部２２が設けられる面に対向するように情報処理装置２０Ｅを持つ。情報処理装置２０Ｅが装着動作の開始を検出すると、撮像部４１は、画像の撮像を開始する（ステップＳ７２）。撮像部４１は、表示部２２と同じ面に設けられるため、撮像部４１が撮像する画像には、ユーザの目およびコンタクトレンズ１０Ｅが写る。
装着位置判定部３４は、撮像部４１が撮像した画像に写る、コンタクトレンズ１０Ｅの所定の回路（例えば、記憶部１１、通信部１２、バッテリ部１３、充電部１４、制御部１５、位置検出部３１、または撮像部３２など）の位置に基づいて、コンタクトレンズ１０Ｅが認証を行う位置に装着されているか否かを判定する（ステップＳ７３）。例えば、撮像した画像において、コンタクトレンズ１０Ｅの所定の回路が所定の位置に写っている場合、装着位置判定部３４は、コンタクトレンズ１０Ｅが認証を行う位置に装着されていると判定する。また、例えば、撮像した画像において、コンタクトレンズ１０Ｅの所定の回路が所定の位置から所定の距離以上離れて写っている場合、装着位置判定部３４は、コンタクトレンズ１０Ｅの装着位置が認証を行う位置ではないと判定する。認証を行う位置ではないと判定した場合（ステップＳ７３：Ｎｏ）、装着位置判定部３４は、表示部２２に位置合わせを促す画面を表示させる（ステップＳ７４）。装着位置判定部３４は、装着位置判定部３４が認証を行う位置であると判定するまで、この処理を繰り返す。位置合わせを促す画面の例は、コンタクトレンズ１０Ｅの回転方向を示す矢印の表示を含む。
認証を行う位置であると判定した場合（ステップＳ７３：Ｙｅｓ）、装着位置判定部３４は、通信部２３を介して、コンタクトレンズ１０Ｅに撮像指示情報および撮像された画像の送信指示情報を送信する（ステップＳ７５）。これにより、コンタクトレンズ１０Ｅの撮像部３２は、ユーザの目の画像を撮像し、撮像した画像を情報処理装置２０Ｅに送信する。
装着位置判定部３４は、認証部３５に認証処理の開始を指示する。認証部３５は、撮像部３２が撮像した画像と記憶部３８が予め記憶する真のユーザの虹彩画像とを照合し、虹彩認証を行う（ステップＳ７６）。認証部３５は、認証の結果を、健康状態判定部４２へ出力する。健康状態判定部４２は、認証に成功したか否かを判定する（ステップＳ７７）。健康状態判定部４２は、認証に成功した場合（ステップＳ７７：Ｙｅｓ）、ユーザの健康状態の判定処理などを行う（ステップＳ７８）。認証に失敗した場合（ステップＳ７７：Ｎｏ）、健康状態判定部４２は、認証失敗を表示部２２に表示させる（ステップＳ７９）。これにより、ユーザは認証失敗を把握する。
【０１０５】
本実施形態によれば、情報処理装置２０Ｅは、コンタクトレンズ１０Ｅの装着位置が虹彩認証を行う位置に装着されているかどうかを判定することができる。また、情報処理装置２０Ｅは、コンタクトレンズ１０Ｅの装着位置を、ユーザの虹彩の位置（認証を行う位置）に合わせるよう促すことができる。これにより、情報処理装置２０Ｅは、コンタクトレンズ１０Ｅを装着したユーザが真のユーザかどうか虹彩認証により認証することができる。
【０１０６】
本実施形態によるコンタクトレンズ１０Ｅは目印図形を有しないが、これに限られない。例えば、他の実施形態においては、コンタクトレンズ１０Ｅは目印図形を有していてもよい。この場合、情報処理装置２０Ｅは、撮像部４１が撮像する画像に写る目的図形の角度に基づいて、装着位置の判定を行う。
また、本実施形態によれば、情報処理装置２０Ｅが、認証処理および健康状態判定処理を行うが、これに限られない。例えば、他の実施形態においては、第二の実施形態と同様に、認証処理または健康状態判定処理の少なくとも一方をコンタクトレンズ１０Ｅにおいて実行し、情報処理装置２０Ｅがその処理結果を表示するものであっても良い。
本実施形態によれば、情報処理装置２０Ｅが、撮像部４１が撮像した画像に基づいてコンタクトレンズ１０Ｅの装着位置の判定を行うが、これに限られない。例えば、他の実施形態においてコンタクトレンズ１０Ｅが加速度センサを備える場合、情報処理装置２０Ｅは、その加速度センサの出力に基づいて装着位置の判定を行っても良い。この場合、情報処理装置２０Ｅは、加速度センサが検出する重力の方向に基づいてコンタクトレンズ１０Ｅの装着位置を特定する。
【０１０７】
＜第十一の実施形態＞
以下、本発明の第十一の実施形態による認証システムについて説明する。
図２９は、本発明の第十一の実施形態による装着体の一例を示す断面図である。
図２９は、コンタクトレンズ型ウェアラブル端末である装着体１０Ｇ（コンタクトレンズ１０Ｇと呼ぶ）を示している。コンタクトレンズ１０Ｇは、第１層レンズ３００Ａと第２層レンズ３００Ｂの積層構造を有する。第１層レンズ３００Ａは、ユーザの眼に装着される側の層をなす。第２層レンズ３００Ｂは、外気に触れる側の層をなす。コンタクトレンズ１０Ｇはさらに、認証装置３０Ｇ、健康状態判定装置５０Ｇを備えている。認証装置３０Ｇおよび健康状態判定装置５０Ｇは、第１層レンズ３００Ａと第２層レンズ３００Ｂとの間に設けられる。
【０１０８】
コンタクトレンズ１０Ｇは、全体として重力または瞬きにより正立を保つ形状を有する。重力または瞬きにより正立を保つ形状の例は、プリズムバラスト形状またはダブルスラブオフ形状など、コンタクトレンズ１０Ｇの一部に肉厚部３０１を有する形状を含む。重力または瞬きにより正立を保つ形状は、一般に乱視用コンタクトレンズに用いられ、回転位置をそろえる必要がない通常のコンタクトレンズにおいては、通常採用されない。
プリズムバラスト形状とは、コンタクトレンズ１０Ｇの厚みが、上から下に向かって徐々に厚くなる形状である。これにより、厚い側面が、瞬きのたびに押し出されるとともに、その重みで下側に移動することで、コンタクトレンズ１０Ｇの回転位置を一定にすることができる。ダブルスラブオフ形状とは、コンタクトレンズ１０Ｇの上下が相対的に薄く、左右が相対的に厚い形状である。これにより、上下の薄い部分が瞬きにより挟み込まれることで、コンタクトレンズ１０Ｇの回転位置を一定にすることができる。
【０１０９】
認証装置３０Ｇは、第１層レンズ３００Ａを介して画像を撮像する。そのため、撮像される画像に歪みが生じないよう、第１層レンズ３００Ａは、同心円状に厚みが均一になるように形成される。したがって、肉厚部３０１は、第２層レンズ３００Ｂに含まれる。認証装置３０Ｇおよび健康状態判定装置５０Ｇは、図２９に示すようにコンタクトレンズ１０Ｇの肉厚部３０１の内側に設けられる。これにより、コンタクトレンズ１０Ｇの全体の厚みを薄くし、角膜への酸素供給量を増大させることができる。
【０１１０】
認証部３５は、ユーザが瞬きを行った後に認証処理を開始する。これにより、認証部３５は、瞬きによりコンタクトレンズ１０Ｇの位置がコンタクトレンズ１０Ｅの装着位置が認証を行う位置に存在する蓋然性が高いときに認証処理を開始することができる。したがって、第十の実施形態による認証システムは、位置検出部３１および装着位置判定部３４を備えなくてもよい。
【０１１１】
上述の認証装置３０は内部にコンピュータを有している。そして、上述した認証装置３０の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【０１１２】
上記プログラムは、前述した機能の一部を実現するためのものであってもよい。上記プログラムは、前述した機能をコンピュータシステムにすでに記録されているプログラムとの組み合わせで実現できるもの、いわゆる差分ファイル（差分プログラム）であってもよい。
【０１１３】
上述した認証装置３０の各機能の全て又は一部は、ＡＳＩＣ（Application Specific Integrated Circuit）やＰＬＤ（Programmable Logic Device）やＦＰＧＡ（Field-Programmable Gate Array）等のハードウェアを用いて実現されてもよい。
【０１１４】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
【０１１５】
上記の実施形態の一部または全部は、以下の付記のようにも記載されうるが、以下には限られない。
【０１１６】
（付記１）
センサを備える装着体が生体に装着されている位置である装着位置を判定する装着位置判定部と、
前記装着位置において前記センサが検出した前記生体の生体情報を用いて認証を行う認証部と、
を備える認証装置。
【０１１７】
（付記２）
前記装着体が前記生体に装着される際に、前記装着体と前記生体との位置合わせに関する情報を表示する表示部、
をさらに備える付記１に記載の認証装置。
【０１１８】
（付記３）
前記装着体が前記生体に装着されたことを検知する装着検出部、
をさらに備え、
前記装着位置判定部は、前記装着体が前記生体に装着されたことが検知された場合に前記装着位置を判定する、
付記１または付記２に記載の認証装置。
【０１１９】
（付記４）
前記センサは、前記生体を撮像することにより、前記生体情報を得る画像センサを含む、
付記１から付記３の何れか１項に記載の認証装置。
【０１２０】
（付記５）
前記装着体はリング形状を有する指輪を含み、
前記装着位置判定部は、前記指輪が装着されている指の所定の位置から前記装着体の装着位置までの距離に基づいて、前記指輪の装着位置を判定する、
付記１から付記４の何れか１項に記載の認証装置。
【０１２１】
（付記６）
前記装着体はリング形状を有する指輪を含み、
前記装着位置判定部は、前記指輪が装着されている位置における、前記指輪の内周面と前記指輪が装着されている指の表面との距離に基づいて、前記指輪の装着位置を判定する、
付記１から付記４の何れか１項に記載の認証装置。
【０１２２】
（付記７）
前記装着体はリング形状を有する指輪を含み、
前記センサは、前記指輪が装着されている位置において画像を撮像する画像センサを含み、
前記認証部は、前記画像センサによって撮像された画像と、予め登録された前記指輪が装着されている指の所定の位置における静脈パターンを含む認証用画像とを照合することにより、静脈認証を行う、
付記１から付記３の何れか１項に記載の認証装置。
【０１２３】
（付記８）
前記装着体はリング形状を有する指輪を含み、
前記センサは、前記指輪が装着されている位置において画像を撮像する画像センサを含み、
前記認証部は、前記画像センサによって撮像された画像と、予め登録された前記指輪が装着されている指の所定の位置において複数の方向それぞれから検出された静脈パターンを含む複数の認証用画像各々とを照合することにより、静脈認証を行う、
付記１から付記３の何れか１項に記載の認証装置。
【０１２４】
（付記９）
前記装着体はコンタクトレンズを含み、
前記センサは、前記生体を撮像することにより画像を得る画像センサを含み、
前記装着位置判定部は、前記画像センサによって撮像された画像に基づいて、前記コンタクトレンズの装着位置を判定し、
前記認証部は、前記画像センサによって撮像された画像に含まれる虹彩を用いて認証を行う、
付記１から付記３の何れか１項に記載の認証装置。
【０１２５】
（付記１０）
付記１から付記４の何れか１項に記載の認証装置、を備える装着体。
【０１２６】
（付記１１）
付記５から付記８の何れか１項に記載の認証装置、を備える指輪。
【０１２７】
（付記１２）
蛍光塗料が塗布された表面と、
付記９に記載の認証装置と、
を備えるコンタクトレンズ。
【０１２８】
（付記１３）
付記１から付記９の何れか１項に記載の認証装置と、
前記認証装置から前記装着位置を示す情報を取得し、前記装着位置を示す情報に基づいて、前記装着位置を改善するための情報を表示する表示装置と、
を備える認証システム。
【０１２９】
（付記１４）
前記生体情報を検出するセンサを備える装着体と、
付記１から付記４の何れか１項に記載の認証装置を備える情報処理装置と、
を備える認証システム。
【０１３０】
（付記１５）
センサを備える装着体が生体に装着されている位置である装着位置を判定し、
前記装着位置において前記センサが検出した前記生体の生体情報を用いて認証を行う、
ことを含む認証方法。
【０１３１】
（付記１６）
認証装置のコンピュータに、
センサを備える装着体が生体に装着されている位置である装着位置を判定し、
前記装着位置において前記センサが検出した前記生体の生体情報を用いて認証を行う、
ことを実行させるためのプログラム。
【０１３２】
この出願は、２０１５年７月１５日に出願された日本国特願２０１５−１４１１７７を基礎とする優先権を主張し、その開示の全てをここに取り込む。
【産業上の利用可能性】
【０１３３】
本発明は、認証装置、認証システム、認証方法、プログラムに適用してもよい。
【符号の説明】
【０１３４】
１０、１０Ｂ、１０Ｃ・・・装着体
１０Ａ・・・リング
１１・・・記憶部
１２・・・通信部
１３・・・バッテリ部
１４・・・充電部
１５・・・制御部
２０Ｂ・・・表示装置
２０Ｃ・・・情報処理装置
３０、３０Ｂ、３０Ｃ・・・認証装置
３１・・・位置検出部
３２・・・撮像部
３３・・・装着検出部
３４・・・装着位置判定部
３５・・・認証部
３６・・・表示制御部
３７・・・表示部
３８・・・記憶部
３１０・・・加速度センサ
３１１Ａ、３１１Ｂ、３１１Ｃ、３１１Ｄ・・・静電容量センサ
３２０・・・光源
３２１・・・ＴＦＴセンサ
３７０Ａ、３７０Ｂ、３７０Ｃ・・・ＬＥＤランプ
４０・・・演算装置
５０Ｄ・・・健康状態判定装置
【図１】
2020077398.tif 000003
【図２】
2020077398.tif 000004
【図３】
2020077398.tif 000005
【図４】
2020077398.tif 000006
【図５】
2020077398.tif 000007
【図６Ａ】
2020077398.tif 000008
【図６Ｂ】
2020077398.tif 000009
【図７Ａ】
2020077398.tif 000010
【図７Ｂ】
2020077398.tif 000011
【図８Ａ】
2020077398.tif 000012
【図８Ｂ】
2020077398.tif 000013
【図９】
2020077398.tif 000014
【図１０】
2020077398.tif 000015
【図１１】
2020077398.tif 000016
【図１２】
2020077398.tif 000017
【図１３】
2020077398.tif 000018
【図１４】
2020077398.tif 000019
【図１５】
2020077398.tif 000020
【図１６】
2020077398.tif 000021
【図１７】
2020077398.tif 000022
【図１８】
2020077398.tif 000023
【図１９】
2020077398.tif 000024
【図２０】
2020077398.tif 000025
【図２１】
2020077398.tif 000026
【図２２】
2020077398.tif 000027
【図２３Ａ】
2020077398.tif 000028
【図２３Ｂ】
2020077398.tif 000029
【図２３Ｃ】
2020077398.tif 000030
【図２４】
2020077398.tif 000031
【図２５】
2020077398.tif 000032
【図２６】
2020077398.tif 000033
【図２７】
2020077398.tif 000034
【図２８】
2020077398.tif 000035
【図２９】
2020077398.tif 000036